(57)【特許請求の範囲】
【請求項１】
流体（２）のためのネブライザ（１）であって、
前記流体（２）を収容する取替可能な容器（３）を有し、
前記容器（３）を受け入れるためのネブライザハウジング（２４）と、取り外し可能なハウジング部分（１８）を有し、前記ネブライザハウジング（２４）は、前記容器（３）を取り替えるために、該ネブライザ（１）から前記ハウジング部分（１８）を取り外すことにより開放することが可能であり、前記ネブライザハウジング（２４）は、該ネブライザ（１）の内側部分（１７）に対して回転可能である上側ハウジング部分（１６）を備え、該ネブライザ（１）は前記上側ハウジング部分（１６）に対する前記内側部分（１７）の回転により、小出しの準備が行われ、
前記容器（３）を用いて実施されたか又は依然として可能な使用回数を計数する及び／又は示すための表示デバイス（２５）を有する、ネブライザ（１）において、
前記表示デバイス（２５）が、ハウジング（３１）を含み、
前記表示デバイス（２５）は、前記容器（３）を用いた予め決められた使用回数が到達されたか又は超過された時にのみ、ロック状態に入り、
前記表示デバイス（２５）は、該表示デバイス（２５）の前記ロック状態で前記容器（３）の更なる使用を防止するための阻止部分を含み、
前記阻止部分は、前記表示デバイス（２５）の前記ハウジング（３１）に一体化され、及び／又は前記表示デバイス（２５）の前記ハウジング（３１）の一部を形成し、又は前記表示デバイス（２５）の前記ハウジング（３１）の内側に配置され、
前記表示デバイス（２５）が前記ロック状態に入った後で前記上側ハウジング部分（１６）に対して前記内側部分（１７）を回転させると、前記阻止部分が前記ネブライザハウジング（２４）の少なくとも部分的な開放を引き起こすことができる、
ことを特徴とするネブライザ（１）。
【請求項２】
前記表示デバイス（２５）が前記ロック状態にあるとき、そして前記ハウジング部分（１８）が前記ネブライザ（１）に完全に接続されているとき及び／又は前記ネブライザハウジング（２４）が前記ハウジング部分（１８）によって完全に閉じられているとき、前記阻止部分は、この容器（３）を用いた予め決められた使用回数が到達されたか又は超過された時に、前記ネブライザハウジング（２４）内の該容器（３）の軸線方向の可動性を阻止する、
ことを特徴とする請求項１に記載のネブライザ（１）。
【請求項３】
前記表示デバイス（２５）は、表示要素（３５）を含み、これは、前記阻止部分が前記表示デバイス（２５）の前記ハウジング（３１）内の初期位置からロッキング位置まで移動されるように前記阻止部分を起動することを特徴とする請求項１又は請求項２に記載のネブライザ。
【請求項４】
前記表示デバイス（２５）は、前記ロッキング位置から前記初期位置への前記阻止部分の戻り移動を防止する阻止バネ（４３）を含むことを特徴とする請求項３に記載のネブライザ。
【請求項５】
前記表示デバイス（２５）は、該表示デバイス（２５）が前記ロック状態にある時、前記表示デバイスが前記ロック状態にないときに比べてより可視になる、及び／又は該表示デバイス（２５）が前記ロック状態にある時、該表示デバイス（２５）の該ロック状態を示す、信号要素（３４）を含むことを特徴とする請求項１から請求項４のいずれか１項に記載のネブライザ。
【請求項６】
前記表示デバイス（２５）は、前記信号要素（３４）が可視又はより可視になるように、及び／又は該表示デバイス（２５）がロック状態に入った時、及び／又は前記容器（３）を用いたネブライザ（１）の予め決められた使用回数が到達されたか又は超過された時、及び／又は該容器（３）が空である時を示すように前記信号要素（３４）を起動する表示要素（３５）を含むことを特徴とする請求項５に記載のネブライザ。
【請求項７】
起動された時に、前記信号要素（３４）は、前記表示デバイス（２５）の前記ハウジング（３１）内の第１の位置から、該信号要素（３４）が前記表示デバイス（２５）の前記ハウジング（３１）から少なくとも部分的に延びる第２の位置まで移動されることを特徴とする請求項５又は請求項６に記載のネブライザ。
【請求項８】
前記阻止部分は、前記信号要素（３４）を形成するか又はそれによって形成されることを特徴とする請求項５から請求項７のいずれか１項に記載のネブライザ。
【請求項９】
ネブライザ（１）が、前記表示デバイス（２５）の起動のための駆動部分（５２）を含み、
前記阻止部分は、前記表示デバイス（２５）内の計数機構の前記計数及び／又は前記起動を無効にし、及び／又は前記ロック状態で該表示デバイス（２５）との前記駆動部分（５２）の相互作用を無効にする、
ことを特徴とする請求項１から請求項８のいずれか１項に記載のネブライザ。
【請求項１０】
ネブライザ（１）が、前記ネブライザハウジング（２４）又は駆動部分（５２）への容器（３）又は表示デバイス（２５）の相対移動により、前記表示デバイス（２５）を駆動又は起動又はトリガするための駆動部分（５２）を含むことを特徴とする請求項１から請求項９のいずれか１項に記載のネブライザ。
【請求項１１】
前記表示デバイス（２５）は、前記ネブライザ（１）の前記駆動部分（５２）の挿入、及び／又は該表示デバイス（２５）のアンロック状態で該表示デバイス（２５）の起動要素（３６）との前記駆動部分（５２）の相互作用を可能にする挿入開口部（５４）を含むことを特徴とする請求項１０に記載のネブライザ。
【請求項１２】
前記表示デバイス（２５）は、前記容器（３）と分離不能に接続されるが、それが該容器（３）と共に取替可能であるように前記ネブライザハウジング（２４）及びハウジング部分（１８）からは分離可能であることを特徴とする請求項１から請求項１１のいずれか１項に記載のネブライザ。
【請求項１３】
前記表示デバイス（２５）は、前記容器（３）のベース（２１）に及び／又は該容器（３）の出口又はヘッド（２８）の反対側に固定的に配置され、及び／又は
前記表示デバイス（２５）は、スナップ結合又は形状適合した結合によって前記容器（３）と接続される、
ことを特徴とする請求項１から請求項１２のいずれか１項に記載のネブライザ。
【請求項１４】
前記表示デバイス（２５）は、前記容器（３）の曝気を開くための穿孔部分（４８）を含むことを特徴とする請求項１から請求項１３のいずれか１項に記載のネブライザ。
【請求項１５】
前記穿孔部分（４８）は、軸線方向に移動可能であり、及び／又は起動されない場合に前記表示デバイス（２５）の前記ハウジング（３１）の内側に位置付けられ、又はそこに付勢されることを特徴とする請求項１４に記載のネブライザ。
【発明の詳細な説明】
【技術分野】
【０００１】
本発明は、請求項１の前段部に記載のネブライザ、及び請求項２８の前段部に記載の容器に関する。
【背景技術】
【０００２】
ＷＯ  ２０１２／１６２３０５  Ａ１は、ネブライザを開示している。容器は、ネブライザのハウジングの中に挿入することができる。ハウジングは、下側ハウジング部分によって閉じられる。ハウジング部分を回転させることにより、駆動バネを引張下に置くことができ、流体を圧力発生器の圧縮チャンバ内に吸い込むことができる。同時に、容器は、ネブライザ内の行程移動で下側ハウジング部分内に移動され、初めて引張された時に、容器は、下側ハウジング部分内の穿孔要素によってそのベースを通して穿孔され、容器の通気を可能にすることができる。ボタンを手動で押圧した後に、駆動バネは、流体が駆動バネによって加圧下に置かれ、かつ推進剤ガスを使用せずにエアロゾルとしてノズルを通してマウスピースの中に送出又は噴霧されるように、解除されて送出チューブを圧力チャンバの中に移動する。すなわち、容器は、噴霧される流体の搬送中及び圧力発生及び噴霧中に前後に軸線方向に移動している。
【０００３】
輸送状態で容器を移動不能に保持するための輸送ロックを形成する固定デバイスによって、容器はハウジング部分と分離不能に接続されることができる。
【０００４】
ネブライザは、実施されたか又は依然として可能な使用回数を計数し、及び／又は示すための表示デバイスを含む。表示デバイスは、予め決められた使用回数が現在の容器によって到達されるか又は超過された時にロック状態で更なる使用を阻止する。次に、容器は、ハウジング部分と共に取り替えることができ、ネブライザは、新しい容器と共に更に使用することができる。
【０００５】
ＵＳ  ７，８２３，５８４  Ｂ２は、計数デバイスをハウジング部分から分離不能である容器と共に交換可能又は取替可能であるハウジング部分に一体化することができる類似のネブライザを開示している。
【０００６】
ＷＯ  ２００９／０３７０８５  Ａ１は、カートリッジと共に移動し、かつデバイスを用いて実施されている小出し起動を記録する段階的回転送り機構を有する噴霧可能な物質（ＭＤＩタイプ小出し器）を計量小出しするための手持ち式デバイスを開示している。機構は、段階的回転送り機構のハウジングの線形移動を回転性の段階的回転送り移動に変換する斜めスリット及び関連のガイドピンを含む。段階的回転送り機構の中心構成要素は、遊星歯車、太陽歯車、及び歯車リムを収容する遊星歯車である。
【０００７】
ＷＯ  ２０１０／０２３２３３  Ａ１は、計数リングを駆動するために軸線方向移動を部分回転移動に変換する案内要素を含む計数デバイスを有するＭＤＩのタイプの別のアトマイザを開示している。変換は、案内要素に関連付けられた案内軌道及び傾斜平面として達成される。
【先行技術文献】
【特許文献】
【０００８】
【特許文献１】ＷＯ  ２０１２／１６２３０５  Ａ１
【特許文献２】ＵＳ  ７，８２３，５８４  Ｂ２
【特許文献３】ＷＯ  ２００９／０３７０８５  Ａ１
【特許文献４】ＷＯ  ２０１０／０２３２３３  Ａ１
【特許文献５】ＷＯ  ９６／０６０１１  Ａ１
【特許文献６】ＷＯ  ２００９／１１５２００  Ａ１
【特許文献７】ＥＰ  ２，６１４，８４８  Ａ１
【発明の概要】
【発明が解決しようとする課題】
【０００９】
本発明の目的は、特にネブライザのいずれのハウジング部分の取替もなしに容器の取替を可能にしながら、簡単及び／又はセキュアな作動及び取り扱い、及び／又は小型の及び／又は信頼できる構成を可能にするネブライザ及びネブライザのための容器を提供することである。
【課題を解決するための手段】
【００１０】
上記目的は、請求項１によるネブライザ、又は請求項１９又は２８による容器によって達成される。好ましい実施形態は、従属請求項の主題である。
【００１１】
本発明は、流体、好ましくは液体薬剤を、その流体を収容する好ましくは取替可能な容器から噴霧するためのネブライザに関し、かつその容器に関する。表示デバイスが、容器を用いて既に実施されたか又は依然として可能な使用回数を計数し、及び／又は示すために提供される。
【００１２】
特に、表示デバイス又は関連のロッキングデバイスは、容器及び／又はネブライザをロックすることができ、又は予め決められた使用回数がそれぞれの容器を用いて到達されたか又は超過された時にロック状態で、更なる使用に対して容器及び／又はネブライザのロッキングを引き起こすことができる。
【００１３】
特に、好ましくは、表示デバイスは、予め決められた使用回数がそれぞれの容器を用いて到達されたか又は超過された時にロック状態に入り、ネブライザは、ロック状態で容器を用いての更なる使用に対してネブライザのロッキングを引き起こすロッキングデバイスを含む。
【００１４】
好ましくは、ネブライザは、容器を取り替えるためにネブライザから取り外されるか又は開くことができるハウジング部分を含む。
【００１５】
本発明の１つの態様により、表示デバイスは、好ましくは、ロック状態で及び／又はロック状態が到達された時にネブライザ及び／又はハウジング部分を少なくとも部分的に開くか又は少なくとも部分的な開放を引き起こすようになっており、及び／又は表示デバイスは、ロック状態でネブライザ及び／又はハウジング部分の完全な閉鎖を防止するようになっている。特に、これは、非常に小型の及び簡単な構成及び／又はセキュアな作動を可能にする。特に、これは、直感的な取り扱いをサポートする。
【００１６】
本発明の更に別の態様により、ロック状態にある表示デバイスは、ネブライザのロック状態にあるネブライザとの又はネブライザハウジング及び／又はハウジング部分との容器の完全なアセンブリを阻止する。特に、これは、非常に小型の及び簡単な構成及び／又はセキュアな作動を可能にする。特に、これは、直感的取り扱いをサポートする。
【００１７】
好ましくは、これは、既に使用された容器の再使用又は再挿入を防止し、従って、非常に簡単でセキュアな構成を可能にする。
【００１８】
本発明の更に別の態様により、表示デバイスは、好ましくは、ロック状態にあるネブライザ内で容器の完全軸線方向又は行程状可動性を阻止するようになっている。これは、非常に小型の及び簡単な構成を可能にする。好ましくは、必要な部品及び構成要素の数は、最小にすることができる。更に、これは、セキュアな作動を可能にする。
【００１９】
好ましくは、特にそれぞれの容器を用いての予め決められた使用回数が到達されるか又は超過されたことを表示デバイスが検出した時に、ネブライザ及び／又は容器は、ロック状態にあってそれ以上使用することはできない。
【００２０】
本発明の別の又は更なる態様により、表示デバイスは、更なる使用に対してネブライザ及び／又は容器を直接的又は間接的にロックするか又はそのロッキングを開始又はトリガすることができる。特に、表示デバイスは、ネブライザのロッキングデバイスの起動を引き起こす。好ましくは、現在の容器との更なる使用に対してネブライザをロックするために、間接起動が、ネブライザ又はそのハウジング又はハウジング部分の少なくとも部分的な開放を使用して又はそれを通じて実現される。
【００２１】
好ましくは、表示デバイスは、ロック状態にある容器及び／又はネブライザの更なる使用を阻止（ブロッキング）する阻止部分を含む。
【００２２】
好ましくは、阻止部分は、ロック状態にあるネブライザ内のロッキングデバイスの起動を引き起こす。この起動は、間接的に、特にネブライザを開くことによって実現することができ、これは、ロッキングデバイス又はそのロッキング要素の起動をもたらす。従って、更なる使用、特に流体の更なる小出し又は噴霧は、ロック状態で防止又は阻止することができる。
【００２３】
好ましくは、ネブライザは、ネブライザハウジング又はハウジング部分が少なくとも部分的に開いているか、又は開いている場合に、又は言い換えるとネブライザ又はそのハウジングが（完全に）閉じていない時に更なる使用又は引張に対して（自動的に）阻止される。
【００２４】
表示デバイスがロック状態に入った時に、ネブライザが更なる使用に対して直ちに阻止されないということも可能である。代替的に、表示デバイスは、ロッキングデバイスが更なる使用に対して、例えば、次の起動又は引張中などに対してネブライザを阻止しようとすることをそのロック状態で開始する又は引き起こす又はトリガすることができる。すなわち、ロッキングデバイスは、後で、例えば、ネブライザの少なくとも部分開放及び／又はネブライザの少なくとも部分引張又はネブライザのハウジング部分又は内側部分の回転などの後でそのロック状態に入ることができる。
【００２５】
従って、ネブライザの阻止は、間接的にだけでなく、代替的に又は追加的に、後の更なる取り扱い、作動、又は起動中などにも表示デバイスによって開始又は引き起こすことができる。後者の場合に、表示デバイスは、同じく好ましくは本発明の意味において、更なる使用に対してネブライザ及び／又は容器を阻止するか、又はその阻止を開始又は引き起こす。
【００２６】
好ましくは、更なる使用に対するネブライザのロッキングは、まだ使用されていないものに対して特に表示デバイスを含む容器を取り替えることによって打ち勝つことができる。
【００２７】
本発明の別の態様により、表示デバイスは、好ましくは、表示デバイスが容器と共に取替可能であるように、容器と又は容器の容器ハウジングと分離不能に接続されるが、ネブライザ又はそのハウジングから及びハウジング部分からは分離可能である。これは、別の表示デバイスを含む別の容器とのネブライザ及びハウジング部分の再使用を可能にする。すなわち、交換される構成要素の全体サイズは、取替パッケージのサイズを縮小して多数のパッケージの輸送が容易になるように小さく保たれる。
【００２８】
好ましくは、表示デバイスは、容器の底部及び／又は容器の出口の反対側に固定的に配置される。これは、非常に小型の構成を可能にする。更に、表示デバイスは、ネブライザへの容器の流体的接続に干渉せず、又はその逆も同じである。
【００２９】
本発明の更に別の態様により、表示デバイスは、好ましくは、開口するための穿孔要素及び曝気開口部を含む。特に、これは、非常に小型の構成を可能にし、及び／又はセキュアな作動をサポートする。
【００３０】
好ましくは、表示デバイスは、表示要素と、表示要素を（直接的又は間接的に）回転送りするための又は表示要素を回転送りする伝達及び／又は段階的機構を起動するための起動要素とを含む。好ましくは、段階的回転送り機構は、減速伝達を含む。特に、表示要素は、それぞれの容器を用いて既に実施されたか又は依然として可能な使用回数を表示する。
【００３１】
好ましくは、起動要素の線形移動は、表示要素の回転移動を引き起こす。
【００３２】
更により好ましくは、起動要素は、表示デバイスを有する容器とネブライザのハウジング及び／又はハウジング部分との間の相対的長手方向移動によって運動に入る。
【００３３】
好ましくは、表示デバイスは、表示デバイスがロック状態に入った時、及び／又はそのロック状態にあるこの表示デバイスに関連付けられた容器を用いたネブライザの予め決められた使用回数が到達されたか又は超過された時、及び／又は容器が空であること、がネブライザのユーザに可視又はより可視になる（見やすくなる）信号要素又はフラグを含む。
【００３４】
好ましくは、信号要素は、表示デバイスのハウジング内の（初期の）第１の位置からそれが表示器ハウジングから部分的に延びる及び／又はそれが第１の位置よりもより可視である（さらに見やすい）第２の位置まで移動される。
【００３５】
好ましくは、表示デバイス内の表示要素は、第１から第２の位置内への信号要素の移動を引き起こす。
【００３６】
好ましくは、信号要素又はその一部（第２の位置で可視である部分）は、表示デバイスのロック状態で信号要素の可視性を高める色（例えば、赤色）を有する。特に、これは、強化されたユーザ案内を可能にし、及び／又はネブライザの次の使用が来る前に表示デバイス及び関連の容器のロック状態をユーザが識別することを可能にする。
【００３７】
好ましくは、表示デバイス（２５）は、第２の位置から第１の位置への信号要素（３４）又はフラグの戻り移動を防止する阻止（ブロッキング）バネ（４３）（又は別の構成的特徴部）を含む。
【００３８】
本発明の別の態様により、好ましくは、阻止部分は、信号要素を形成するか、又はそれによって形成されるか、又はそれと一体化されるか、又はそれと同一である。特に、これは、非常に小型の及び簡単な構成及び／又はセキュアな作動を可能にする。好ましくは、必要な部品及び構成要素の数は、最小にすることができる。
【００３９】
本発明の別の態様により、阻止部分は、好ましくは、表示デバイスのハウジングに一体化される。特に、これは、非常に小型の及び簡単な構成及び／又はセキュアな作動を可能にする。好ましくは、必要な部品及び構成要素の数は、最小にすることができる。
【００４０】
本発明の更に別の態様により、阻止部分は、好ましくは、容器又はネブライザの長手方向又は小出し方向と平行に移動可能である。特に、これは、ロック状態の良好な可視性及び／又はセキュアな作動を可能にする。好ましくは、必要な部品及び構成要素の数は、最小にすることができる。
【００４１】
本発明の更に別の態様により、ロック状態において、阻止部分は、好ましくは、表示デバイス内の計数機構の計数及び／又は起動、及び／又はロック状態にある表示デバイスとの駆動部分の相互作用を無効にする。
【００４２】
好ましくは、ロック状態において、阻止部分は、例えば、起動要素との駆動部分の相互作用を防止することにより、及び／又は表示デバイス内の前進要素を外すことにより、及び／又は（表示器ハウジングの）挿入開口部を閉鎖又は無効にすることにより、表示デバイス内の計数機構との駆動部分（ネブライザのハウジング又はハウジング部分に取り付けられた）の相互作用を防止する。特に、アンロック状態において、挿入開口部は、表示器ハウジング及び／又は容器とネブライザハウジングとの間の相対移動時に、駆動部分が、特にネブライザの使用が表示デバイスにおいて計数される及び／又は示されるように表示デバイスを起動するように、ネブライザのハウジング又はハウジング部分に取り付けられた駆動部分を受け入れるためのものである。特に、これは、非常に小型の及び簡単な構成及び／又はセキュアな作動を可能にする。好ましくは、必要な部品及び構成要素の数は、最小にすることができる。
【００４３】
本発明の上記態様及び以下に説明する更に別の態様は、互いに独立にかつあらゆる組合せに実現することができる。
【００４４】
本発明の更に別の利点、特徴、特性、及び態様は、特許請求の範囲及び図面を参照する好ましい実施形態の以下の説明から明らかになるであろう。
【図面の簡単な説明】
【００４５】
【図１】非引張状態にある公知のネブライザの概略断面図である。
【図２】引張状態にある公知のネブライザの図１と比較して９０°回転した概略断面図である。
【図３】本発明の好ましい実施形態による非引張状態にある挿入された容器を有するネブライザの概略断面図である。
【図４】図３の丸で囲まれた部分の部分拡大図である。
【図５ａ】本発明の好ましい実施形態による引張状態にある挿入された容器（図３に類似）を有するネブライザの概略断面図である。
【図５ｂ】断面が図４のものに類似しているがネブライザの引張状態を示す図５ａのより大きい丸で囲まれた部分の部分拡大図である。
【図５ｃ】図５ａのより小さい丸で囲まれた部分（ネブライザがアンロック状態にある）の部分拡大図である。
【図６】本発明の好ましい実施形態による表示デバイスの概略分解組立図である。
【図７】初期状態にある表示デバイス（容器及びネブライザ部品は省略されている）の斜視断面図である。
【図８】起動状態にある表示デバイス（容器は省略され、ネブライザのハウジング部分１８との相互作用が示されている）の斜視断面図である。
【図９】表示デバイスの選択された相互作用部品のアセンブリ上の斜視部分断面図である。
【図１０ａ】表示デバイスの選択された相互作用部品の別のアセンブリの図である（表示デバイスのカートリッジ側から見た）。
【図１０ｂ】図１０ａにあるように表示デバイスの選択された相互作用部品の同じアセンブリ上の斜視図である。
【図１０ｃ】図１０ｂと同じであるが部品のうちの１つを省略した図である（伝達部４０の省略）。
【図１１】表示デバイスの表示要素の斜視図である。
【図１２】図４に類似のネブライザであるがロック状態にある容器の表示デバイスを有する部分断面図である（ネブライザは引張状態にある）。
【図１３】部分的に開いたハウジング部分及びロックされたロッキングデバイスによる次の引張後のロック状態にあるネブライザの概略断面図である（図１２は図１３のより大きい丸で囲まれた部分に対応する）。
【図１４】図１３のより小さい丸で囲まれた部分の部分拡大図である（図５ｃに類似しているがロック状態にあるネブライザを有する断面）。
【図１５】ロック状態にある表示デバイスの斜視断面図である。
【発明を実施するための形態】
【００４６】
図において、同じ参照番号は、同一又は類似の部品に使用され、好ましくは、関連の説明を繰り返さない場合でも対応するか又は同等の特性及び利点をもたらす。
【００４７】
図１及び２は、流体２、特に、非常に有効な医薬組成物又は薬剤などを噴霧するための公知のネブライザ１を非引張状態（図１）及び引張状態（図２）で図式的に示している。ネブライザ１は、特に携帯用吸入器として構成され、好ましくは、機械的にのみ及び／又は推進剤ガスなしで作動する。
【００４８】
流体２、好ましくは、液体、特に、医薬組成物を噴霧する時に、エアロゾル１４（図１）が形成又は小出しされ、これをユーザが吸い込み又は吸入することができる。一般的に、患者が罹っている症状又は病気に応じて少なくとも１日１回、特に、１日数回、好ましくは、設定された間隔で吸入を行う。
【００４９】
ネブライザ１には、流体２を収容する挿入可能又は取替可能な容器３が備えられるか又はそれを含む。従って、容器３は、噴霧される流体２のためのリザーバを形成する。好ましくは、容器３は、２００までの投薬単位又は投薬量を提供し、例えば、すなわち、２００までの噴霧又は適用を可能にするのに特に十分な複数の投薬量の流体２又は活性物質を含有する。ＷＯ  ９６／０６０１１  Ａ１において開示するような典型的な容器３は、例えば、約２〜２０ｍｌの容積を保持する。
【００５０】
更に、容器３に収容される投与数及び／又は容器３に収容される流体２の全容積は、流体２又はそれぞれの薬剤に応じて及び／又は容器３に応じて及び／又は必要な薬物療法などに応じて異なる場合がある。
【００５１】
好ましくは、容器３は、取り替える又は交換することができ、ネブライザ１の全使用回数及び従って同じネブライザ１と共に使用することができる容器３の数は、例えば、容器３の合計で４個又は５個に制限することが好ましい。ＷＯ  ２０１２／１６２３０５  Ａ１は、更に、同じネブライザ１と共に使用することができる容器３の総数をそのように制限することを開示している。
【００５２】
容器３は、好ましくは、実質的に円筒形又はカートリッジ形であり、ネブライザ１が開かれた状態で、容器３は、好ましくは、下からその中に挿入され、必要に応じて交換することができる。それは、剛性構造であることが好ましく、特に流体２は、容器３内の圧潰バッグ４に保持されている。特に、容器３は、最初に使用する前又は最初の使用中に開いている通気開口部又は孔２３を含む。
【００５３】
ネブライザ１は、送出機構、好ましくは、特に事前設定されたかつ任意的に調節可能な投与量の流体２を搬送及び噴霧するための圧力発生器５を含む。
【００５４】
ネブライザ１又は圧力発生器５は、好ましくは、容器３を解除可能に保持するためのホルダ６、単に部分的に示すホルダ６に関連付けられた駆動バネ７、及び／又は好ましくは手動起動又は押し下げのためのボタンの形態の又はそれを有する阻止要素８を含む。阻止要素８は、ホルダ６を捕捉して阻止（ブロック）することができ、かつ手動で作動されてホルダ６を解除して駆動バネ７を拡張することを可能にすることができる。
【００５５】
ネブライザ１又は圧力発生器５は、好ましくは、搬送チューブ９のような搬送要素、逆止弁１０、マウスピース１３の中に流体２を噴霧するための圧力チャンバ１１及び／又はノズル１２を含む。
【００５６】
完全に挿入された容器３は、搬送要素が容器３をネブライザ１又は圧力発生器５に流体的に接続するように、ホルダ６を通じてネブライザ１に固定又は保持される。好ましくは、搬送チューブ９は、容器３内に貫通する。
【００５７】
ネブライザ１又はホルダ６は、好ましくは、容器３を交換することができるように構成される。
【００５８】
駆動バネ７が引張工程において軸線方向に引張された時に、容器３を有するホルダ６及び搬送チューブ９は、図面内では下向きに移動し、流体２は、容器３から吸い出されて逆止弁１０を通じて圧力発生器５の圧力チャンバ１１に入る。この状態において、ホルダ６は、駆動バネ７が圧縮されたままになるように阻止要素８によって捕捉される。そして、ネブライザ１は、引張状態にある。
【００５９】
阻止要素８の起動又は押圧（直接的に、又は関連のボタン８ｂの起動又は押圧により）後の噴霧工程におけるその後の弛緩中に、圧力チャンバ１１中の流体２は、この時点で閉じたその逆止弁１０を有する搬送チューブ９が、駆動バネ７の弛緩又は力によってここでは図面で上方に圧力チャンバ１１に移動して戻り、かつこの時点で押圧ラム又はピストンとして作用する時に加圧下に置かれる。この圧力が流体２をノズル１２を通じて強制的に送り出すと直ちに、それは、図１に示すようにエアロゾル１４の中に噴霧され、従って、小出しされる。
【００６０】
一般的に、ネブライザ１は、流体２に対して５〜２００ＭＰａ、好ましくは、１０〜１００ＭＰａのバネ圧で及び／又は１行程当たり１０〜５０μｌ、好ましくは、１０〜２０μｌ、最も好ましくは、約１５μｌで送出される流体２の容積で作動する。流体２は、エアロゾル１４に変換されるか又はエアロゾル１４として噴霧され、その液滴は、２０μｍまで、好ましくは、３〜１０μｍの空気動力学的直径を有する。好ましくは、発生するジェット噴霧は、２０°〜１６０°、好ましくは、８０°〜１００°の角度を有する。それらの値はまた、特に適切な値として本発明の教示によるネブライザ１にも当て嵌まる。
【００６１】
ユーザ又は患者（図示せず）は、好ましくは、供給空気を少なくとも１つの任意的な供給空気開口部１５を通じてマウスピース１３内に吸い込みながらエアロゾル１４を吸入することができる。
【００６２】
ネブライザ１は、好ましくは、ハウジング２４及び／又は（上側）ハウジング部分１６、及び好ましくはそれに対して回転可能であり（図２）及び／又は上側部分１７ａ及び下側部分１７ｂ（図１）を有する任意的な付勢又は内側部分１７を含む。
【００６３】
ネブライザ１又はハウジング２４は、好ましくは、（下側）ハウジング部分１８を含む。この部分１８は、好ましくは、保持要素１９を使用して特に手動で作動可能及び／又は解除可能に固定され、特に内側部分１７の上に装着又は保持される。
【００６４】
好ましくは、ハウジング部分１６及び１８及び／又は他の部分は、ネブライザ１のハウジング２４を形成する。
【００６５】
容器３を挿入及び／又は取え替るために、好ましくは、ハウジング２４を開くことができ、及び／又はハウジング部分１８は、ネブライザ１、内側部分１７、又はハウジング２４から取り外すことができる。
【００６６】
一般的にかつ好ましくは、容器３は、ハウジング２４を閉じる前及び／又はハウジング部分１８をハウジング２４に接続する前に挿入することができる。容器３は、ハウジング部分１８をハウジング２４／ネブライザ１に（完全に）接続する時及び／又はハウジング２４／ネブライザ１を（完全に）閉じる時に、自動で又は同時に送出機構に挿入され、開かれ、及び／又は流体的に接続することができる。好ましくは、容器３は、現在の容器を用いて最初にネブライザ１を引張する時に開かれるか又は流体的に接続される。
【００６７】
好ましくは、ネブライザ１又は駆動バネ７は、特に、起動部材の起動により、ここでは好ましくはハウジング部分１８又はいずれかの他の構成要素を回転させることにより、手動で起動又は引張又は装填することができる。
【００６８】
起動部材、好ましくは、ハウジング部分１８は、起動させて、ここでは上側ハウジング部分１６に対して回転させてそれを担持するか又は内側部分１７を駆動することができる。内側部分１７は、歯車又は伝達部に作用して回転を軸線方向移動に変換する。その結果、内側部分１７、特にその上側部分１７ａとホルダ６の間に形成されてホルダ６に作用する歯車又は伝達部（図示せず）を使用して、駆動バネ７を軸線方向に引張する。引張中に、容器３は、図２に示すように、容器３が端部位置を有するまで軸線方向下向きに移動する。この起動又は引張状態において、駆動バネ７は引張下にあり、阻止要素８によって捕捉又は保持することができる。噴霧工程中に、容器３は、駆動バネ７（の力）によって移動してその元の位置（図１に示す非引張位置又は状態）に戻る。従って、容器３は、引張工程中及び噴霧工程中に持ち上げ又は行程（ストローク）移動を実行する。
【００６９】
ハウジング部分１８は、好ましくは、キャップ状下側ハウジング部分を形成し、及び／又は容器３の下側自由端部分の周り又はその上に適合する。駆動バネ７を引張すると、容器３は、その端部部分と共に（更に）ハウジング部分１８の中に又はその端面に向けて移動するが、ハウジング部分１８に配置された軸線方向に作用するバネ２０のような曝気手段は、容器３のベース２１と接触状態になり、容器３がそれと最初に接触する時に、容器３又はその上のベースシール又はホイル５０を穿孔要素２２で穿孔し、好ましくは、通気孔２３を開口又は穿孔することによって空気進入又は曝気を可能にする。通気孔２３は、ネブライザ１の起動中に容器３から流体２を引き込む時に、容器３の内側の圧力補償を可能にする。
【００７０】
ネブライザ１は、好ましくはネブライザ１の引張又は上側部分１６又はハウジング２４に対する内側部分１７の引張又は回転を検出することにより、特にネブライザ１の起動を計数する表示デバイス２５を含むことが好ましい。好ましくは、計数デバイス２５又は関連のロッキングデバイス２５は、（更なる）起動又は使用に対してネブライザ１をロックし、例えば、ハウジング部分１８／内側部分１７の更なる回転、従って、ネブライザ１又はその駆動バネ７の引張を阻止し、及び／又はある一定数の起動又は作動又は放出投薬量が到達されるか又は超過された時に、ロック状態で阻止要素８の起動を阻止する。
【００７１】
以下の更に別の図においてかつそれらを参照すると、ネブライザ１、容器３、表示デバイス２５、及び／又はロッキングデバイス２６の好ましい実施形態が、本発明により説明されかつ図示されており、最も重要な態様及び差異を以下に説明し、以前の態様、特徴、及び説明は、好ましくは、繰り返さなくてもそれに加えて又は相応に適用される。
【００７２】
図３は、完全に閉じたネブライザハウジング２４、従って、閉じたハウジング部分１８と共に、概略断面（長手方向断面）で非引張状態の本発明による容器３及び表示デバイス２５を有するネブライザ１を示し、提案する表示デバイス２５を含む容器３は、ネブライザ１及び／又はハウジング２４に挿入されるか又はその内部に受け入れられる。
【００７３】
図４は、ネブライザ１の非引張状態にある図３の丸で囲まれた部分の拡大部分断面を示している。図７は、その初期（非起動）状態、すなわち、ネブライザ１がその非引張状態にある時に表示デバイス２５が初期状態にある状態で表示デバイス２５のそれぞれの斜視断面を示している（容器３及びネブライザ１は図７では省略されている）。
【００７４】
図５ａは、図３と同じ概略断面であるが、引張状態にある容器３及び表示デバイス２５を有するネブライザ１を示している。図５ｂは、図４と同じであるが、完全に閉じたハウジング２４と共に引張している（しかしアンロックされた）状態の同じ拡大部分断面を示している。図８は、図７と類似であるが起動状態にある表示デバイス２５の斜視断面を示し、ネブライザ１の引張状態にあるネブライザ１のハウジング部分１８と表示デバイス２５の係合を示している。
【００７５】
ネブライザ１は、好ましくは、軸線方向及び／又は主小出し方向及び／又は引張及び小出し中の容器３の行程移動に対応する細長い形態又は軸線を有する。
【００７６】
図示の非引張状態（図３，図４）において、ネブライザ１又はそのマウスピース１３は、好ましくは、マウスピースカバー２７によって閉じられる。マウスピースカバー２７は、好ましくは、ピボット回転可能であり、ネブライザ１を使用するためのマウスピース１３の開口を可能にする。
【００７７】
好ましくは、表示デバイス２５は、容器３に直接に及び／又は解除不能に取りつけられるか又はそれに接続される。特に、表示デバイス２５は、それぞれの容器３に関連付けられる。ネブライザ１の容器３が取り替えられる場合に、表示デバイス２５も必ず又は能動的に取り替えられる。
【００７８】
好ましくは、表示デバイス２５は、容器３の底部又は容器ベース２１に、及び／又は容器３の出口又はヘッド２８の反対側に固定的に配置される。
【００７９】
好ましい実施形態において、表示デバイス２５は、好ましくは、容器３の外側ケース又は好ましくは剛性のハウジング２９に直接に接続されるか又はそこに当接される。
【００８０】
好ましくは、表示デバイス２５及び容器３は、形状適合及び／又はスナップ式に接続される。
【００８１】
特に、表示デバイス２５は、容器３の（下側又は底部）縁部３０及び／又はいずれかの他の突起などにわたって取り囲み及び／又は把持する。本発明の実施形態において、縁部３０は、それが、容器３／容器ハウジング２９の側壁の本質的に円筒形の外形にわたって半径方向に突出するように僅かに広い直径である。
【００８２】
表示デバイス２５の直径は、好ましくは、容器３又はその縁部３０の直径に少なくとも本質的に等しいか又は僅かにこれよりも大きい。
【００８３】
縁部３０は、好ましくは、容器３又は容器ハウジング２９の側壁と底部又はベース２１との間に形成される。好ましくは、縁部３０は、フランジをつけるか、境界を付けるか、曲げるか、又は圧着することによって又はいずれかの他の適切な材料変形工程によって形成される。
【００８４】
表示デバイス２５は、ハウジング３１を含み、及び／又は好ましくは少なくとも本質的に円筒形形態を有する。
【００８５】
表示デバイス２５又はそのハウジング３１は、好ましくは、少なくとも本質的に平坦及び／又は軸線方向側で容器３又はそのベース２１又はハウジング２９に取りつけられる。
【００８６】
表示デバイス２５又はそのハウジング３１は、好ましくは、表示デバイス２５を容器３と接続するための保持又は把持セクション３２を含む。好ましくは、把持セクション３２は、縁部３０を取り囲み、及び／又は縁部３０の周り又はそれにわたって把持する。
【００８７】
本実施形態において、把持セクション３２は、好ましくは、環状であり、及び／又は縁部３０又は容器３の円周にわたって分散された位置で縁部３１にわたって把持する。
【００８８】
好ましくは、表示デバイス２５及び容器３は、互いにスナップ結合又はクリック接続によって又は形状適合及び／又は圧入によって又は接着結合によって接続される。好ましくは、容器３及び表示デバイス２５は、一方の部品を他方に軸線方向にスナップ結合することによって互いに接続される。
【００８９】
好ましくは、把持セクション３２は、容器３がその縁部３０と共に軸線方向に入ることができるように半径方向に十分に弾性である。このため、把持セクション３２は、好ましくは、それぞれ傾斜した挿入面を含み、環状把持セクション３２の中に又は周方向に分散された把持セクション３２の間の縁部３０の挿入を容易にする。
【００９０】
代替的に、把持セクション３２は、表示器ハウジング３１とは個別の部品によって形成することができ、容器が表示デバイス２５に取り付けられた時に表示デバイス２５に接続することができる。次に、把持セクション３２を形成する部品は、好ましくは、表示デバイス上への圧入で容器３を保持し、好ましくは、外側輪郭又は外周に沿って、好ましくは、スナップ結合又はクリック接続によって又は形状適合及び／又は圧入によって表示器ハウジング３１に接続される。
【００９１】
他の構成的ソリューションも容器３又はそのハウジング２９を表示デバイス２５又はそのハウジング３１と接続するために実施可能であり又はその逆も可能であることに注意しなければならない。特に、２つの部品は、溶接、ろうつけ、接着、ねじ込み、クランプ締め、又はホットプレスなどによってこれに加えて又は代替的に互いに接続することができる。
【００９２】
図６は、本発明の好ましい実施形態による表示デバイス２５を概略分解組立図に示している。
【００９３】
表示器は、ハウジング３１と、ハウジング３１に取り付けられることが好ましい任意の上側部分３３とを含む。
【００９４】
好ましくは、上側部分３３は、把持セクション３２を保持又は形成する。
【００９５】
表示デバイス２５は、好ましくは、表示要素３５及び起動要素３６を含む。好ましくは、表示デバイス２５は、表示要素３５を回転送り（インデクシング、indexing）するための又は表示要素３５の回転送りを引き起こすための伝達部４０及び好ましくは歯車４１を含む。
【００９６】
表示デバイス２５は、それぞれの又は関連の容器３を用いて実施されたか又は依然として可能な使用回数を計数し、及び／又は示すためのものである。好ましくは、表示要素３５は、それぞれの容器３を用いて既に実施されたか又は依然として可能な使用回数を少なくとも略示するために１又は２以上の記号、数字、着色、又は陰影区域などのあらゆるマーキング３５ｂを含む。本発明の実施形態において、表示要素３５は、好ましくは、回転可能であり及び／又は少なくとも１つのマーキング３５ｂを有する円周壁又は外面を含む。
【００９７】
表示器ハウジング３１は、好ましくは、窓３１ａを含み、特に関連付けられたマーキング３５ｂを通じて円周壁において、好ましくは、特に透明なハウジング部分１８を通じてユーザ又は患者には可視である。
【００９８】
起動要素３６は、好ましくは、表示要素３５の直接又は間接の起動又は回転送りのための起動アーム３８又は案内要素２６ａを含む。回転送りは、表示要素３５が一定分又は段階的に前方に移動することを意味する。
【００９９】
好ましいのは、起動要素３６又はそのアーム又は案内要素３６ａが伝達部４０を通じて表示要素３５を起動又は駆動するような間接起動又は駆動である。本発明の実施形態において、起動要素３６は、伝達部４０を駆動する前進要素３９を通じて間接的に伝達部４０を駆動する。好ましくは、伝達部４０は、減速をもたらす関連の歯車４１を有する。
【０１００】
好ましくは、起動要素３６は、軸の周りで好ましくは起動要素３６の移動の方向と平行に伝達部４０の回転を間接的に引き起こす。好ましくは、伝達部４０は、前進要素３９及び／又は表示要素３５が回転することができる軸線と同一又は同軸上に位置合わせされた軸線の周りを回転することができる。
【０１０１】
好ましくは、起動要素３６は、表示デバイス２５及び／又はネブライザ１の縦軸線に沿って又はそれと平行に移動可能である。表示デバイス２５の起動に対して、起動要素３６は、好ましくは、ネブライザ１の引張又は起動、又はネブライザ１の中に又はそこからの製剤の加圧又は小出しのようなネブライザの使用により、ネブライザ１との相互作用によって移動する。好ましくは、表示デバイス２５の起動に対して、ネブライザ１（又はハウジング部分１８）の一部及び起動要素３６の係合は、ネブライザ１の縦軸線に沿って又はそれと平行に起こる。
【０１０２】
好ましくは、表示デバイス２５を起動するための軸線方向又は長手方向の起動移動は、表示デバイス２５の内側の半径方向又は回転移動に変換される。好ましくは、表示デバイス２５は、軸線方向移動を、計数リング又は関連の歯車又は伝達部４０及び／又は歯車４１を駆動するための回転移動に変換するために、案内軌道３９ａ及び／又は斜面及び関連の案内要素３６ａを含む。これは、表示デバイスの駆動、又は起動要素３６のいずれの弾性変形もない計数、従って、作動中に特に信頼できる構成を可能にする。
【０１０３】
特に、表示デバイス２５の好ましい実施形態の起動要素３６は、少なくとも１つの案内要素３６、特に両側に配置された２つの案内要素３６を含む。案内要素３６ａは、好ましくは、特に両側の起動要素３６から半径方向外向きに延びる。案内要素３６ａは、好ましくは、くぎ方式で構成される。以下に１つの案内要素３６ａだけを説明するが、その理由は、好ましくは、２つの案内要素３６ａが、設計、安定性、及び／又は安全性のために両側に設けられることになるにもかかわらず、単一案内要素３６ａが機能を実施するのに理論的に十分であるからである。表示デバイス２５の一部、特に前進要素３９は、少なくとも１つの好ましくは２つの案内軌道３９ａ及び／又は、案内要素３６ａと係合するための斜面を含む。案内要素３６ａは、それらの関連の案内軌道３９ａを半径方向に通過する。案内軌道３９ａ又は斜面は、好ましくは、関連の案内要素３６ａが係合するスロット又は溝として形成される。案内軌道は、好ましくは、例えば、３０°〜６０°の範囲の斜面又は傾斜を含む。特に好ましくは、案内軌道は、螺旋軌道セクションを含む（又は斜面がそれによって形成される）。
【０１０４】
好ましくは、起動要素３６は、軸線方向／長手方向に移動可能であるに過ぎず（すなわち、起動要素は回転に対して固定され）、従って、案内要素３６ａは、軸線方向にのみ移動可能である。特に、表示器ハウジング３１又はその一部、好ましくは、信号要素３４（図７で認められるように）は、起動要素３６の対応する溝又はリブが軸線方向又は長手方向に移動可能である軸線方向に延びるリブ又は溝３４ｂを含み、それぞれのリブ又は溝の係合は、起動要素３６と表示器ハウジング３１及び／又は信号要素３４の間の相対回転を防止する。
【０１０５】
好ましくは、前進要素３９は、半径方向に又は回転移動で移動可能であるに過ぎない。特に、前進要素３９は、表示デバイス２５又は表示器ハウジングの底部に対して軸線方向に固定されて保持され、最も好ましくは、前進要素は、信号要素３４によって軸線方向に保持される。好ましくは、信号要素３４は、前進要素３９の半径方向肩部の上を把持するクリップ３４ｃを含み（クリップ３４ｃは図１２に見ることができる）、それによってクリップ３４ｃは、前進要素３９を信号要素３４と軸線方向に接続するが、前進要素３９又はクリップ３４ｃの下の肩部の相対回転移動を可能にする。好ましくは、クリップ３４ｃは、前進要素３９を信号要素３４に装着するために半径方向内向きに屈曲することができる。
【０１０６】
表示デバイス２５が起動された時に、案内要素３６ａの軸線方向移動が行われる（ここでは表示デバイス２５の底部から離れて）。案内要素３６ａの軸線方向移動の過程で、前進要素３９は、案内要素３６ａと傾斜案内軌道３９ａの間の係合により回転移動に押し込まれる。案内要素３６ａの軸線方向移動は、案内軌道３９ａの壁（又は斜面）を押圧し、従って、前進要素３９を横断方向に、すなわち、回転移動に押し込む。特に、前進要素３９は、角度増分だけ回転する。この角度増分のサイズは、案内軌道３９ａの傾斜及び起動要素３６の軸線方向移動の長さによって決定される。好ましくは、回転移動の角度増分又は前進要素の角度増分は、５°〜２０°の範囲、より好ましくは、１０°〜１６°の範囲にある。しかし、回転移動への軸線方向からの伝達のために他の構成的ソリューションも実施可能である。例えば、起動要素３６は、案内要素又は前進要素上のくぎと係合する案内軌道を含むことができる。
【０１０７】
初期（又は非起動）状態にある起動要素３６は、好ましくは、表示器ハウジング３１によって又は表示器ハウジング３１を補完する部品により、特に信号要素３４によって、軸線方向に支持される。好ましくは、表示デバイス２５は、好ましくは、起動要素３６の長手方向移動のための案内を提供する部品を含む。図示の実施形態において、起動要素３６は、管状部分又は外側円筒壁を有する部分を含み、この部分は、伝達部４０（従って、起動要素３６に対する案内を形成する伝達部４０）の管状部分で移動可能である。しかし、他の構成的ソリューションも同様に可能である。
【０１０８】
前進要素３９の回転移動は、直接的又は間接的に（１：１とは異なる変速比か否かに関係なく）表示デバイス２５の表示要素３５に伝達することができる。図３〜１５に示されているのは、回転移動の間接伝達及び変速比を有する好ましい実施形態であるが、他の構成的ソリューションが可能である。
【０１０９】
好ましくは、表示デバイス２５は、起動要素３６、前進要素３９、伝達部４０、及びラチェット要素３７を含む。しかし、他の構成的ソリューションが可能であり、表示デバイス３５の直接前進及び／又は１：１の変速比が十分である場合（例えば、比較的小さい計数範囲を有する表示デバイスを設計するような場合）、特に、異なる部品の機能を組み合わせることができる。
【０１１０】
図９は、図３〜１５に示す実施形態に対して起動要素３６及び前進要素３９の係合、前進要素３９及び伝達部４０の係合、及び伝達部４０及びラチェット要素３７の係合を明らかにするために、表示デバイスの選択された相互作用部品のアセンブリを示している。好ましくは、前進要素３９は、伝達部４０上の関連の手段と係合するための手段を含む。特に、前進要素３９は、少なくとも１つの突起又は歯３９ｂ（好ましくは、２つの歯）を含み、伝達部４０上の関連の凹部又は歯と係合する。好ましくは、伝達部４０上の関連の凹部又は歯は、非対称、特に鋸歯の形態である。好ましくは、伝達部４０上の係合手段は、鋸歯４０ａの第１のセット又はアレイである。好ましくは、一連の鋸歯４０ａは、伝達部４０の上に及び／又は軸線方向に面して（この場合に、表示デバイス２５の底部側に向けて）周方向に配置される。少なくとも１つの歯３９ｂは、好ましくは、前進要素上の弾性又は可撓性アーム３９ｃによって形成される。好ましくは、前進要素は、プラスチックで作られる。好ましくは、弾性又は可撓性アーム又はその端部形成歯３９ｂは、伝達部４０に向けて付勢される（すなわち、この場合、表示デバイス２５の底部から離れて）。好ましくは、少なくとも１つの歯３９ｂは、非対称、特に鋸歯の形態にある。
【０１１１】
好ましくは、鋸歯４０ａは非対称であり、すなわち、起動要素３６から伝達される前後移動によって一回転方向に一定分の起動及び移動を容易に及び／又は保証するために、一方側及び他方側に異なる傾斜の肩部を含む。
【０１１２】
図９に示す図は、この図のみの例示目的のためだけにそれが切欠き断面Ｃを含む時の部分断面図である。この切欠き部Ｃにおいて、好ましくは、可撓性アーム３９ｃによって保持されるか又はその上に形成された歯３９ｂが、伝達部４０の下側の第１のセットの鋸歯４０ａと係合する方法を見ることができる。
【０１１３】
起動要素３６が上方に移動する時（ここでは表示デバイス２５の底部から離れて）、前進要素３９が回転される（図９の左側に）。前進要素３９の回転移動は、歯３９ｂが伝達部４０の上の第１のセットの鋸歯４０ａに対して回転するという結果になる。好ましくは、歯３９ｂは、非対称であり、当接側及び傾斜肩部を含む。好ましくは、関連の第１のセット又はアレイの鋸歯４０ａは、鋸歯の先端の交互する側面上に異なる傾斜の肩部を含み、特に、一方の肩部は傾斜して傾斜部を形成し、他方の肩部は歯３９ｂの当接側に対して当接部を形成する。前進要素３９の（起動）回転により、歯３９ａの当接側は第１のセットの鋸歯４０ａの鋸歯の当接側に押圧され、従って、鋸歯を押圧し、従って、同じ回転方向の中に一定分ずつ伝達部４０を押し込む。
【０１１４】
起動要素３６が下向きに移動する時に（好ましくは、特に付勢バネ３８によって付勢される）、前進要素３９は、回転してその初期位置に戻る（戻り移動は図９の右側）。しかし、前進要素３９と伝達部４０の間の係合の構成は、伝達部４０の（同時）戻り移動を防止する。歯３９ｂは、好ましくは、伝達部４０から離れて（ここでは下向きに）屈曲することができる可撓性アーム３９ｃによって形成される。前進要素３９が後に移動する時に、歯３９ｂの上の傾斜部は、第１のセットの鋸歯４０ａの鋸歯の傾斜に沿って滑る。それによって可撓性アーム３９ｃは、外に屈曲する。伝達部４０、従って、伝達部４０（ここでは歯車４１及び表示要素３５）が駆動するあらゆる戻り移動部品のあらゆる回転戻り移動が防止される。
【０１１５】
好ましくは、（図示の実施形態にあるように）、容器３の及び／又は起動要素３６の前進移動（及び好ましくは、前進移動のみ）は、表示デバイス２５を起動させ、及び／又は検出又は計数され、容器３の及び／又は起動要素３６の戻り移動は、表示デバイス２５内の回転変位及び／又は回転送りをもたらさない。
【０１１６】
表示デバイス２５内の変速比は、減速及び／又は非線形駆動又は回転送りを達成するように設計又は構成することができる。
【０１１７】
好ましくは、伝達部４０は、表示要素３５を駆動する歯車４１を駆動する。複数の相互作用駆動部分を有するそのような構成は、所定変速比、特に減速伝達及び／又は非線形伝達を可能にする（好ましくは、表示要素３５は、表示デバイス２５の複数の起動により、すなわち、特に伝達部４０の複数の増分の段階的回転によって移動するに過ぎない）。特に、図示の実施形態による表示デバイス２５は、前進要素３９の回転移動を表示要素３５の回転移動の中に伝達するために１：１〜１０：１の範囲の変速比、より好ましくは、２：１〜４：１の範囲の変速比を有する減速伝達を有する。
【０１１８】
図１０ａ及び１０ｂは、表示デバイス２５（図３〜１５に示す）の好ましい実施形態に対する伝達部４０及び歯車４１の係合、並びに歯車４１及び表示器ハウジング３１の係合を明らかにするために、表示デバイスの選択された相互作用部品のアセンブリを示している。
【０１１９】
好ましくは、段階的回転送り機構における減速伝達の中心構成要素は、好ましくは、その下側（第１のセットの鋸歯４０ａ）の上に歯を有するディスク（伝達部４０によって形成された）の上に載っている遊星ホイール又は歯車４１、太陽ホイール又は歯車リング４０ｂ（好ましくは、伝達部４０によって形成された）及び遊星ホイール又は歯車４１と協働する歯車リム３１ｂから構成される遊星歯車である。（しかし、１：１とは異なる変速比を提供する他の構成的ソリューションも同様に可能である。）この歯車リム３１ｂは、好ましくは、表示デバイス２５の回転不能に固定された部品の壁の内側に、特に表示器ハウジング３１の壁の内側に形成される。好ましくは、歯車リム３１ｂは、歯車４１に向けて斜めに進む周方向に配置された凹部３１ｃ又はスロットのアレイを含み、スロットは、歯車リム３１ｂの縁部に向けて開く。好ましくは、凹部３１ｃは、歯車４１に向けて鋸歯アレイを形成する。好ましくは、２つの隣接する凹部３１ｃは、それらの間に歯を形成する。
【０１２０】
太陽ホイール又は歯車リング４０ｂは、粗い歯又は歯車歯を有する。従って、図示の実施形態において、６つの太陽歯車の歯又は歯車リングの歯車歯は、好ましくは、太陽ホイール又は歯車リング４０ｂの円周にわたって均一に分配される。それらの太陽歯車の歯又は歯車リング４０ｂの歯車歯は、太陽歯車／歯車リング４０ｂと表示器ハウジング３１の歯車リム３１ｂの間の同じ平面に配置された遊星ホイール又は歯車４１による太陽歯車／伝達部４０の回転中に協働する。
【０１２１】
好ましくは、歯車４１は、複数の歯車歯４１ｂ又は歯（好ましくは、３〜８の歯車歯４１ｂ）を有するはめ歯歯車として構成される。歯車４１の一方側で（好ましくは、表示デバイス２５の内側を向いた側面で）、歯車４１の歯又は歯車歯４１ｂは、伝達部４０上の歯車リング４０ｂの歯又は歯車歯と噛み合う。歯車４１の別の側面で（好ましくは、表示デバイス２５の側壁を向いた側面で）、歯車４１の歯又は歯車歯４１ｂは、好ましくは、表示器ハウジング３１の内側の歯又は凹部３１ｃと噛み合う。好ましくは、それらの歯又は凹部３１ｃは、表示器ハウジング３１の内周に沿ってアレイに多重に配置され及び／又は歯車リム３１ｂを形成する。好ましくは、常に歯車４１の少なくとも１つの歯車歯４１ｂは、凹部３１ｃで係合する（又は表示器ハウジング３１の内側に周方向に配置された歯のアレイの一つの歯は、常に歯車４１の２つの歯車歯４１ｂの間で係合する）。
【０１２２】
伝達部４０の回転移動により、太陽歯車の歯又は歯車リングの歯車歯が遊星ホイール又は歯車４１の次の歯車歯４１ｂと当接する時に、遊星ホイール又は歯車４１は、段階的に回転する。好ましくは、遊星ホイール又は歯車４１の別の歯車歯４１ｂは、表示器ハウジング３１において歯車リム３１ｂ又は凹部３１ｃのアレイと同時に噛み合う。好ましくは、表示器ハウジング、従って、歯車リム３１ｂは、回転移動に対して固定され、従って、歯車４１の強化回転（遊星歯車の回転段階によって強化される）は、歯車歯４１ｂを歯車リム３１ｂに沿って移動させ、及び／又は歯車４１自体を歯車リム３１ｂに沿って段階的に移動させる。
【０１２３】
図示の実施形態において、伝達部４０及び歯車４１は、好ましくは、伝達部４０の全ての一定分の回転が歯車４１の移動をもたらすとは限らず、伝達部４０の複数の一定分の回転のみが、歯車４１の１つの一定分の回転、従って、表示要素３５の（高々）１つの一定分の回転をもたらすように構成される（すなわち、伝達部は好ましくは、非線形である）。伝達部４０の一定分の回転の必要な数は、伝達部４０、歯車４１及び表示器ハウジング３１における凹部３１ｂの構成／形態によって定められるか又は予め設定される。歯車４１の回転が表示要素３５の回転に変換される時に、第１から第２の位置への起動要素３６の予め定められた移動数は、表示要素３５の移動をもたらす。
【０１２４】
遊星歯車の伝達特性は、歯車４１上の歯車歯４１ｂの数又は太陽歯車／歯車リング４０ｂ上の歯車歯の数及び／又は間隔に依存するだけではなく、更に、歯車は、例えば、凹部３１ｂを配置する円の直径、太陽歯車／歯車リング４０ｂの直径のような関連する直径、及び第１のセットの鋸歯４０ａの歯のサイズ、及び／又は前進要素３９上の歯３９ｂのサイズのようないくつかの変数に依存する伝達比（好ましくは、減速伝達をもたらす）を有する。それらの変数の小さい変動により、変速比はまた、非整数比を予め定めることができる（例えば、２、５、又は３、１５の変速比を予め定めることができる）ように、僅かに変動する可能性がある。従って、前進要素３９の初期回転移動は、好ましくは、表示要素３５のより小さい回転移動をもたらす（表示要素３５の円周に沿ったマーキング３５ｂが、より多くの総数の計数を示すことができるように）。例えば、１５°の前進要素３９の回転移動は、表示要素３５の５°の回転移動まで減速することができる。
【０１２５】
好ましくは、表示器ハウジング３１は、非回転性に容器３に固定される。好ましくは、その平行軸の周りの歯車４１の回転は、表示器ハウジング３１の内周に沿って凹部３１ｂのアレイに沿った歯車４１の移動をもたらすことが好ましい。
【０１２６】
好ましくは、歯車４１は、表示要素３５によって回転可能に保持される。好ましくは、歯車４１は、伝達部４０が回転することができる軸線と平行な軸線の周りを回転することができる。
【０１２７】
遊星ホイール又は歯車４１は、好ましくは、一方側の上方に、すなわち、伝達部４０によって形成されたディスクから離れて／太陽歯車／歯車リング４０ｂの平面から離れて、突出することが好ましい軸線方向ピン又は心棒セクション４１ａを含む。好ましくは、この心棒セクション４１ａは、表示要素３５のボア又は軸受３５ａに回転可能に保持される。従って、歯車４１と表示要素３５の間の恒久的係合が保証される。しかし、他の構成的ソリューション又は歯車４１と表示要素３５の間の結合が可能である。
【０１２８】
好ましくは、歯車４１を保持する表示要素３５は、表示器ハウジングの（内部）円周に沿って歯車４１の移動と同時に移動し（これはまた、段階的、すなわち、円周に沿った単に部分移動を意味する）、すなわち、歯車リム３１ｂに沿って段階的に歯車４１を移動することにより、表示要素３５は同様に移動する。好ましくは、歯車リム３１ｂは周方向に配置され、従って、表示要素３５は、凹部３１ｃ／歯車リム３１ｂを配置する円周の中心軸の回りを回転する。好ましくは、歯車４１の回転は、その好ましくは長手方向に向けられた回転軸の周りに表示要素３５の回転をもたらす。
【０１２９】
しかし、他の構成的ソリューションも同様に可能である。例えば、代替的に、歯車４１は、例えば、表示器ハウジング３１として非可動性構成要素の上の軸受に保持され、表示要素３５の円周上の歯などと直接に噛み合うことができる。
【０１３０】
好ましくは、表示デバイス２５は、伝達部４０又は歯車４１のあらゆる反回転を防止するラチェットを含む。
【０１３１】
好ましくは、表示要素の又は遊星歯車の部品のあらゆる戻り移動が防止される。図示の実施形態において、これは、ラチェット要素３７の手段及び／又は表示デバイス２５における回転で移動可能な部品の間の係合の構成によって達成される。
【０１３２】
本発明の実施形態において、表示デバイス２５は、伝達部４０が一回転方向にのみ（好ましくは、駆動バネ７の引張に関連付けられた容器移動中のみ）回転することができるという方法で、及び／又は一回転方向の（すなわち、反対方向の）伝達部４０の回転を防止するという方法で伝達部４０と係合するラチェット要素３７を含む（図示の実施形態に関して、好ましくは、全ての考察した回転移動は、表示デバイス２５の及び／又はネブライザ１の主縦軸線と同一の軸線の周りにある）。
【０１３３】
好ましくは、ラチェット要素３７は、伝達部４０の上の関連の突起及び／又は凹部と係合するつめ又はラッチングアーム３７ａを含む（伝達部４０とラチェット要素３７の相互作用に対して図９も参照）。好ましくは、それらの突起及び／又は凹部は、アレイに配置される。好ましくは、このアレイは、鋸歯配置（特に、図６及び９に示すように、本発明の実施形態では第２のセットの鋸歯４０ｃ）であり、及び／又は伝達部４０上に周方向に配置される。より好ましくは、ラッチングアーム３７ａの先端は、内側に向き（すなわち、表示デバイス２５の中心縦軸線に向けて）、及び／又は内向きに付勢され、関連の鋸歯（第２のセットの鋸歯４０ｃ）は、伝達部４０上の管状セクション４０ｄの外側に配置される（好ましくは、伝達部４０及びラチェット要素３７は、表示デバイスにおいて、管状セクション４０ｄがラチェット要素３７の中心開口部を通じて到達されるという方法で配置される）。代替的に、ラチェットは、表示デバイス２５の別の部品から、例えば、伝達部４０と係合し、歯車４１又はその歯４１ｂと噛み合うか又はその中に係合するハウジング３１から延びる可撓性アームによって形成することができる。
【０１３４】
伝達部４０の回転移動（ここでは、前進要素３９の回転移動による）は、第２のセットの鋸歯４０ｃがラッチングアーム３７ａに対して回転するという結果になる（ラチェット要素３７は、好ましくは、表示デバイス２５において回転移動できない）。それによってラッチングアーム３７ａは外に屈曲する。好ましくは、伝達部４０の上の関連の突起及び／又は凹部は、非対称（好ましくは、鋸歯、すなわち、上述の第２のセットの鋸歯４０ｃを形成する形態の）であり、すなわち、突起又は凹部の交互する側面上に異なる傾斜の肩部を含む。一方の肩部は傾斜して、ラッチングアーム３７ａが外向きに湾曲することができる傾斜部を形成し（表示デバイス２５の起動により伝達部４０の回転移動中に）、他方の肩部は、ラッチングアーム３７ａの先端に対して当接部を形成する（伝達部４０のあらゆる回転戻り移動、従って、歯車４１及び表示要素３５のあらゆる戻り移動を防止するように）。
【０１３５】
図７は、初期の第１の位置及び静止状態（初期状態：非起動及び非引張）の斜視断面で表示デバイス２５を示している。図８は、類似の斜視断面であるが起動状態で、すなわち、起動要素３６が起動状態にある表示デバイス２５を示している。
【０１３６】
図５は、完全引張（引張状態）後の状態にあるネブライザ１の下側部分を図４に示す拡大断面に類似の部分拡大に示している。表示デバイス２５は、図８にも示すように起動状態にある。
【０１３７】
ネブライザ１又はハウジング部分１８は、好ましくは、ネブライザ１を使用する時に表示デバイス２５を駆動又は起動するために、特に、ネブライザ１のあらゆる引張及び／又は容器３のあらゆる（軸線方向又は行程状）移動に応答して、表示デバイス２５を起動するための駆動部分５２を含む。
【０１３８】
好ましくは、駆動部分５２は、ハウジング部分１８に、特に、ハウジング部分１８の軸線方向端面又は底部５３上に配置又は形成される。
【０１３９】
好ましくは、駆動部分５２は、中心に配置され及び／又は軸線方向に延びる。
【０１４０】
好ましくは、駆動部分５２は、少なくとも実質的に円筒形及び／又はピン状又はボルト状である。
【０１４１】
好ましくは、駆動部分５２は、ハウジング部分１８によって保持され及び／又はハウジング部分１８によって一体的に形成される。
【０１４２】
好ましい実施形態において、引張（図面では下向き移動）中及び／又は加圧及び小出し（図面では上方移動）中の容器３の及び従って表示デバイス２５の移動、及び／又はそれぞれ非引張状態及び引張状態にあるそれぞれの端部位置の一方又は両方は、表示デバイス２５を起動するために、すなわち、計数するために使用することができる。
【０１４３】
好ましくは、ネブライザ１内の容器３及び／又は表示デバイス２５の相対移動、より好ましくは、引張中の移動は、表示デバイス２５を起動又はトリガ及び／又は計数するために使用される。
【０１４４】
ネブライザ１を引張する及び／又は表示デバイス２５を下向きに移動する時に、駆動部分２５は、表示デバイス２５又はそのハウジング３１の挿入開口部５４を通じて、特に軸線方向に入り又は係合する。
【０１４５】
好ましくは、駆動部分５２及び挿入開口部５４は、中心に配置され及び／又は軸線方向に位置合わせする。
【０１４６】
好ましくは、起動要素３６は、表示デバイス２５の挿入開口部５４に入る駆動部分５２を使用して起動される。好ましくは、駆動部分５２は、駆動部分５２が起動要素及び／又は表示デバイス２５を起動する時に起動面３６ｃで起動要素３６と接触する。
【０１４７】
好ましくは、駆動部分５２は、挿入開口部５４から離れて及び／又は容器３に向けて起動要素３６を移動する。
【０１４８】
好ましくは、ネブライザ１の引張工程中に、取り付けられた表示デバイス２５を有する容器３は、挿入開口部５４を駆動部分５２に押圧するように、ネブライザの底部５３に向けて及び／又は駆動部分５２に向けて移動する。従って、駆動部分５２は、ネブライザの完全引張状態が到達されるまで挿入開口部５４を通じて表示デバイス２５に入る（図８に示すように）。初期状態において、駆動部分５２の先端は、表示デバイス２５の挿入開口部５４の中に突出するか又はそうでない場合がある（これは、様々に関与した構成要素の高さの公差によって決定される場合がある）。しかし、初期（非引張）状態において、駆動部分５２の先端は、好ましくは、起動要素３６の起動面３６ｃと接触しない。
【０１４９】
好ましくは、起動要素３６は、内部に突出したリム又は平面が起動面３６ｃを形成する中空円筒形構造を含む。引張工程中に、駆動部分５２は、起動要素３６の起動面３６ｃと接触し（好ましくは、起動要素３６の中空円筒形構造の中に到達する）、それを容器３に向けて（すなわち、図７の上方に）押し、及び／又は表示デバイス２５と駆動部分５２の間の相対軸線方向移動を表示デバイスの内側の相対軸線方向移動に、特に、起動要素と表示器ハウジング／前進要素３９などの間の相対軸線方向移動に伝達し、これは、表示デバイスにおいて計数の起動をもたらす。
【０１５０】
本発明の実施形態において、駆動部分５２は、起動要素３６を起動させ、すなわち、図３、４、及び７に示す初期の第１の位置から図５及び８に示す起動された第２の位置まで起動要素３６を移動する。
【０１５１】
好ましくは、起動要素３６は、直線的に移動可能であり及び／又は摺動キャリッジを形成する。
【０１５２】
好ましくは、起動要素３６は、ハウジング３１によって又はハウジング３１の下側を形成する信号要素３４によって移動可能に支持及び／又は保持される。しかし、他の構成的ソリューションも同様に可能である。
【０１５３】
図は、ネブライザ１の引張により表示デバイス２５の起動が起こる実施形態を示すに過ぎないが、表示デバイス２５及びその回転で移動可能な部品は、代替的に、容器３の及び／又は起動要素３６の戻り移動のみ、すなわち、駆動バネ７の弛緩による容器３の移動が表示デバイス２５又は歯車４１を起動させ及び／又は検出又は計数されるという方法で構成することができる。伝達部４０／歯車４１の計数又は起動のトリガは、次に、加圧又は小出し工程又は移動により、すなわち、流体２の実際の小出し中、すなわち、一般的に実際の使用又は吸入中に達成されると考えられる。そのような代わりの（図示せず）実施形態において、表示デバイスにおける回転移動可能な部品の間の係合は、ラチェット要素３７及び鋸歯アレイのアームに対する全ての接触側が、図６、９、及び１０に示す実施形態と比べて反対の回転方向に変わるという方法で設計することができる。従って、起動要素３６又はその案内要素３６ａは、第２から第１の位置への移動を伝達部４０に伝達することができ、この移動は、歯車４１の一定分の回転を引き起こすことができる。
【０１５４】
そのような代替実施形態においても、起動要素３６は、表示要素３５を回転送りする（好ましくは、間接的に）ために、特に、それぞれ表示要素３５を駆動する前進要素３９を通じて伝達部４０を一定分回転させ、従って、歯車４１を回転させるために第１及び第２の位置の間で前後に移動可能にすることができる。（代替的に、特に、起動要素３６の全ての作動が表示要素３５の段階的移動及び／又は好ましくは非減速回転移動を誘導することになる場合に、表示要素３５はまた、ここでは個別の部品として伝達部４０及び歯車４１を使用することなく前進要素３９によって直接に駆動することができる。）
【０１５５】
伝達部４０又は歯車４１はまた、前進要素３９の移動を表示要素３５の回転送りに変換することができる。好ましくは、表示デバイス２５はまた、伝達部４０の変速比又は伝達機能を有することができ、及び／又は歯車４１は、減速又は非線形駆動又は回転送りを達成するように設計又は構成される。
【０１５６】
好ましくは、容器３の及び／又は起動要素３６の前方（図示の実施形態にあるように）又は後方移動のいずれかのみが、表示デバイス２５を起動させ及び／又は検出又は計数され、すなわち、表示デバイス２５内で段階的計数移動をもたらす。
【０１５７】
本発明の実施形態において、起動要素３６は、容器３又はネブライザ１の長手方向又は小出し方向に対して及び／又は容器３及び／又は表示デバイス２５の行程移動に対して平行又は同軸上に移動可能である。
【０１５８】
好ましくは、起動要素３６は、より外側の第１の位置から第２の位置に軸方向内向きに移動する。第２の位置で、その起動アーム又は案内要素３６ａを有する起動要素３６は、第１の半径方向位置から第２の半径方向位置に前進要素３９を移動させている。
【０１５９】
表示デバイス２５は、特に、起動要素３６を好ましい方向に付勢するための好ましくは付勢バネ３８を含む。
【０１６０】
特に、（好ましくは、起動時に）、起動要素３６は、反対方向に起動要素３６を付勢する関連の好ましくは螺旋形の付勢バネ３８の力に抗して移動する。
【０１６１】
起動要素３６が第１の位置から第２の位置まで移動する時に、起動要素は、特に、関連の好ましくは螺旋形の付勢バネ３８の力に抗して移動する。
【０１６２】
好ましくは、付勢バネ３８は、起動要素３６を表示デバイス２５の底部に向けて（すなわち、表示デバイス２５の容器側から離れて）及び／又は挿入開口部５４に向けて（図３〜８、１２、１３、及び１５の下向きに）起動要素３６を付勢する。
【０１６３】
好ましくは、付勢バネ３８は、起動要素３６を第１の位置へと（すなわち、表示デバイス２５が、好ましくは、ネブライザ１の非引張状態にある初期位置へと）付勢する。
【０１６４】
好ましくは、起動要素３６及び／又は起動要素３６によって形成された支持構造３６ｂは、付勢バネ３８を支持又は保持する。好ましくは、付勢バネ３８は、表示器ハウジング３１又は上側部分３３（表示デバイス２５の）又は容器ハウジング２９又は容器ベース２１又は容器ベースを覆うホイル５０（又は容器３の底部にあるいずれかの他の特徴部）と当接する。
【０１６５】
（完全）引張状態において、容器３、より正確には曝気開口部又は通気孔２３は、少なくともネブライザ１が初めて容器３を用いて引張された時に開かれる。
【０１６６】
好ましくは、曝気のための容器３又は通気孔２３の開口は、特にホイル５０の穿孔又は破断によって実現される。
【０１６７】
開口又は穿孔は、駆動部分５２によって直接に達成することができる。代替的に、開口又は穿孔は、駆動部分５２とは独立に、例えば、図２に示す実施形態と類似の穿孔要素２２を有する曝気バネ２０を使用して達成することができる。代替的に、本発明の実施形態におけるように、開口又は穿孔は、好ましくは、駆動部分５２によって起動されることが好ましい穿孔部分４８を通じて間接的に達成することができる。
【０１６８】
好ましくは、穿孔部分４８は、個別の部品として形成され及び／又は表示デバイス２５によって提供され及び／又は表示デバイス２５内に配置される。
【０１６９】
表示デバイス２５は、好ましくは、穿孔先端４９を有する好ましくは穿孔部分４８を含む（図３〜８を比較されたい）。
【０１７０】
穿孔部分４８は、表示デバイス２５又はそのハウジング３１内に配置される。
【０１７１】
穿孔部分４８は、好ましくは、軸線方向に移動可能である。
【０１７２】
穿孔部分４８は、好ましくは、それが容器３に向けて突出することができるように移動可能であり及び／又は特に通気孔２３を覆うホイル５０を破断又は穿孔することによって容器３の曝気開口部、好ましくは、通気孔２３を開くことができる。
【０１７３】
本発明の実施形態において、穿孔要素４８は、好ましくは、容器ベース２１を覆うホイル５０を開口又は穿孔することができる開放端又は先端４９、特に容器３又はそのベース２１に形成される窪み５１を含む。好ましくは、窪み５１は通気孔２３を形成する破断部を有する。しかし、他の構成的ソリューションもまた同様に可能である。
【０１７４】
好ましくは、穿孔部分４８は、好ましくは、表示デバイス２５、ハウジング３１、起動要素３６、及び／又は表示要素３５の支持構造３６ｂによって軸線方向に移動可能に保持される。
【０１７５】
穿孔部分４８又はその先端４９は、好ましくは、表示デバイス２５又はそのハウジング３１内に受け入れられるが、起動状態において外向きに突出することができることに注意しなければならない。
【０１７６】
好ましくは、穿孔部分４８は、起動要素３６によって支持されるか又はそれに固定されるか又はそれによって形成される。好ましくは、穿孔部分４８は、表示デバイス２５内の段階的回転送り機構を起動させ及び／又は表示デバイス２５の計数が起動された時に軸線方向に移動する。
【０１７７】
図４及び５に概略的に示すような好ましい実施形態において、穿孔部分４８は、特に起動部分材３６によって形成された支持構造３６ｂによって保持され、起動要素３６と共に軸線方向に移動可能である。従って、穿孔部分４８は、好ましくはネブライザ１の引張工程中に、好ましくは表示デバイス２５の起動時に容器３に向けて移動される。従って、穿孔要素４８は、好ましくは、穿孔位置に、すなわち、それがホイル５０を穿孔するか又は容器３の曝気を開く状態にある。
【０１７８】
穿孔部分４８は、好ましくは、個別の部品として構成され、それは、穿孔先端４９が非引張状態で容器３から後退するように、容器３から離れて長手方向又は軸線方向に任意的に直接的又は間接的にバネ付勢される。図示の実施形態において、穿孔部分４８は、起動部材３６に作用する付勢バネ３８の結果として容器３から離れるように間接的に付勢される（穿孔部分４８は、好ましくは、起動要素３６に固定される）。従って、穿孔部分４８は、起動要素３６がその第２の（起動）位置からその第１の（初期）位置まで移動して戻る時に、すなわち、好ましくは、ネブライザ１がその引張状態からその非引張状態に戻る時に小出しの際に、容器ベース２１においてその穿孔位置から後退する。
【０１７９】
開口又は穿孔は、ネブライザ１を引張する度に、すなわち、容器３が引張状態でその端部位置に到達する度に繰り返すことができる。
【０１８０】
好ましくは、穿孔部分４８は、軸線方向にあらゆる公差を補償するために可撓性構造のような補償部分を含み、又は少なくとも部分的に圧縮可能である。そのような公差は、特に、製造中の変動、特に容器３及び／又は他の構成要素の長さの変動、表示デバイス２５と容器３の接続の変動、表示デバイス２５又はそのハウジング３１の長さの変動、ホルダ６内の容器３の軸線方向位置の変動などにより起こる可能性がある。従って、駆動部分５２の自由端と穿孔部分４８又は起動要素（これは穿孔部分を支持する）のカウンター面の間に、様々な距離が得られる場合がある。この構成は、駆動部分５２及び穿孔要素２２が、望ましい穿孔を保証するようなあらゆる場合に協働するようなものである。
【０１８１】
補償部分又は圧縮性は、容器３及び／又はネブライザ１のいずれかの他の構成要素のあらゆる損傷を回避するために、予め定められた軸線方向力を超える時に軸線方向圧縮を可能にする。
【０１８２】
従って、好ましい実施形態において、駆動部分５２は、最初に穿孔部分４８を容器ベース２１に向けて穿孔位置の中に移動し、駆動部分５２の更なる軸線方向移動は、補償部分又は穿孔部分４８の圧縮性によって補償される。
【０１８３】
図示の実施形態において、穿孔部分４８は、好ましくは、螺旋バネによって形成され、補償は、バネコイルの軸線方向圧縮性によって与えられる。好ましくは、螺旋バネは、好ましくは、金属線を含み又はそれから構成される。特に、ワイヤの一端は、容器ベース２１の方向を指す穿孔先端４９を形成する中心先端へと曲げられ及び／又は成形され／研削される。好ましくは、穿孔先端４９を形成するワイヤの端部は、点状先端で終了する少なくとも１つの斜面（例えば、切断又は研削によって形成される）を含む。
【０１８４】
代わりの（図示せず）実施形態において、穿孔部分４８及び起動要素３６は、好ましくは、射出成形工程においてプラスチックで作られた単体構成である。
【０１８５】
好ましくは、代替実施形態において、支持構造３６ａは、穿孔部分４８を保持するための可撓性アーム又はリブを含むことができる。可撓性アーム又はリブは、軸線方向のあらゆる公差を補償するための補償部分を形成する。補償部分は、ネブライザ１の容器３及び／又はいずれかの他の構成要素のあらゆる損傷を回避するために、予め定められた軸線方向力を超える時の軸線方向圧縮を可能にする。従って、代替実施形態において、駆動部分５２は、最初に穿孔部分４８を容器ベース２１に向けて穿孔位置へと移動し、駆動部分５２の更なる軸線方向移動は、補償部分により、好ましくは、半径方向外向きに広がっている可撓性アーム５６によって補償される。穿孔部分４８は、その後退又は初期位置へと、特に、好ましくは一体的に形成された付勢アーム、バネなどにより、好ましくは、支持構造３６ｂによって付勢することができる。
【０１８６】
（完全）引張状態（図５及び図８に示すように）において、ネブライザ１は、好ましくは、駆動バネ７の弛緩を始めることによって（現在の実施形態において阻止要素８を押圧することにより）開始される小出しの準備が整っている。駆動バネ７の弛緩を始めると、すなわち、加圧又は小出し工程中に、容器３は、この場合も、上方に移動する（再度図３及び４に示すその位置が到達されるまで）。この工程中に、駆動部分５２は、起動要素３６が付勢バネ３８の力によりその初期又は第１の位置に戻り始めるように、表示デバイス２５から又は挿入開口部５４を通じて引き戻さる。最後に、駆動部分５２の十分な引き戻しの後に、起動要素３６は、戻り移動が完了した時に図３及び４に示す第１の位置に戻る。端部位置で、すなわち、非引張状態において、駆動部分５２は、好ましくは、図３及び４に示すように、表示デバイス２５、表示器ハウジング３１及び／又は挿入開口部５４から更に又は完全に後退する。
【０１８７】
表示デバイス２５によって検出又は示度される時の容器３を用いたネブライザ１の使用回数が到達されるか又は予め決められた使用回数を超えた後に、ロック状態に入り、ネブライザ１は、現在の容器３との更なる使用に対してロックされることになり、及び／又は容器３は、ネブライザ１との更なる使用に対してロックされることになる。好ましくは、最後の小出し又は加圧工程中に、表示デバイス２５は、表示要素３５を更に１段階移動し、予め決められた使用回数が到達されたか又は超過されたこと、従って、ロック状態に入るべきであることが検出されるか又は表示される。
【０１８８】
好ましくは、表示デバイス２５は、表示デバイス２５のロック状態に入った時に、ネブライザ１のユーザに可視であるか又はより可視である信号要素３４又はフラグを含む。好ましくは、表示デバイス２５のロック状態の信号要素３４の拡大可視性は、そのロック状態のこの表示デバイス２５に関連付けられた容器３を用いたネブライザ１の予め決められた使用回数が到達されるか又はそれを超えており、及び／又は容器が空であるネブライザ１の使用を示す（好ましくは、表示器ハウジング３１の窓３１ａを通じてマーキング３５ｂの読み取りに加えて）。好ましくは、信号要素３４又はその可視部分は、赤色のような信号色及び／又は信号要素３４の可視性を高める色を有する。好ましくは、信号要素３４は、特に信号色を有する円筒壁３４ｗを有する。
【０１８９】
好ましくは、表示デバイス２５のロック状態において、信号要素３４は、表示デバイス２５（底部側の）から突出する。特に、円筒壁３４ｗは、表示デバイス２５のロック状態の少なくとも大部分に対して可視である。好ましくは、表示デバイスのロック状態は、ネブライザ１のロック状態を引き起こすか又は達成し、特にネブライザ１の引張／起動の阻止を引き起こすか又は達成する。
【０１９０】
好ましくは、表示デバイス２５は、表示デバイス２５のロック状態に入った時に起動する阻止部分を含む。
【０１９１】
好ましくは、信号要素３４は、表示デバイスの阻止部分を形成し（又は阻止部分と同一であり）、又は阻止部分の一部である。しかし、他の構造的（図示せず）ソリューションが可能であり、信号要素及び阻止部分は、表示デバイスの異なる部品であり及び／又は互いに独立に起動される。
【０１９２】
好ましくは、阻止部分／信号要素３４は、表示デバイス２５又はそのハウジング３１に一体化される。
【０１９３】
阻止部分／信号要素は、好ましくは、容器又はネブライザ１の長手方向又は小出し方向と及び／又は容器３の行程（ストローク）移動の方向と平行に移動可能である。
【０１９４】
好ましくは、阻止部分／信号要素３４は、直線的に移動可能であり及び／又は摺動キャリッジによって形成される。しかし、他の構成的ソリューションも同様に可能である。
【０１９５】
好ましくは、信号要素３４／阻止部分は、流体２の最終投与量が小出しされた後及びロック状態に入り又はそれを検出した時に、駆動部分５２と表示デバイス２５の相互作用を無効にする。
【０１９６】
好ましくは、信号要素３４／阻止部分は、駆動部分５２と起動要素３６の接触を防止する。特に、信号要素３４は、表示デバイス２５の計数機構の更なる起動を防止する。
【０１９７】
好ましくは、信号要素３４／阻止部分は、その信号伝達／阻止位置へと、本発明の実施形態において、好ましくは、起動バネ４７又はあらゆる他の適切な付勢手段によって付勢される。
【０１９８】
起動バネ４７は、好ましくは、一方のハウジング３１と他方の信号要素３４／阻止部分の間に作用する。
【０１９９】
好ましくは、表示器ハウジング３１は、（少なくとも部分的に）二重壁構成を有し、すなわち、外壁３１ｏ及び内壁３１ｉを含む。好ましくは、起動バネ４７が、表示器ハウジング３１の外壁３１ｏと内壁３１ｉの間に配置される。好ましくは、信号要素３４の壁３４ｗは、少なくとも大部分は、内壁３１ｉの内側及び／又は外壁３１ｏと、表示デバイス２５（図８）の初期状態で表示器ハウジング３１の内壁３１ｉの間に配置される。好ましくは、起動バネ４７は、信号要素３４の壁３４ｗと表示器ハウジング３１の内壁３１ｉの間に配置される。
【０２００】
本発明の実施形態において、バネ４７は、好ましくは、第１の位置で（表示デバイス２５のアンロック状態で）圧縮され、信号要素３４／阻止部分を信号要素３４／阻止部分が表示デバイス２５のロック状態で有する第２の位置に向けて付勢する。第２の位置（図１２、１３、及び１５に示すような）において、信号要素３４／阻止部分は、表示デバイス２５の長手方向範囲又は高さを拡大し／表示器ハウジング３１から延びる。
【０２０１】
特に、その第２の位置の信号要素３４は、ネブライザ１の容器３の軸線方向可動性を制限し、従って、後でより詳細に説明するように、容器３の更なる使用を阻止する阻止部分として作用する。
【０２０２】
好ましくは、起動要素３６は、表示デバイス２５においてそれがネブライザ１の底部５３に向けて信号要素３４と同じ程度には移動しないように保持され、すなわち、好ましくは、起動要素３６の軸線方向移動は、単に信号要素３４の制限を受けないだけではない。例えば、（図には示していない代替形態において、）起動要素３６は、好ましくは、付勢バネの一端でのスナップ結合によって付勢バネ３８に接続することができ、付勢バネ３８の他端は、好ましくは、表示デバイス２５の別の部分、例えば、上側部分３３又はラチェット要素３７にスナップ結合によって接続することができる。
【０２０３】
好ましくは、第２の位置で、信号要素３４／阻止部分は、駆動部分５２に（又はそれと相互作用するアンロックされた引張状態で）対応する挿入開口部５４と（起動要素３６上の）起動面３６ｃの間の距離を拡大する。従って、（起動要素３６が第１から第２の位置への信号要素の軸線方向移動に従わないか又は完全には従わない実施形態に対して、）表示デバイス２５のロック状態において、駆動部分５２の高さは、ネブライザ１の引張による起動要素３６の起動面３６ｃと当接する（すなわち、これと相互作用する）のにもはや十分ではない。好ましくは、信号要素３４／阻止部分の長手方向高さ又は信号要素３４の部分高さは、それが表示デバイス２５のロック状態で表示器ハウジング３１から延びる限り、駆動部分５２の高さよりも大きく及び／又は容器３が完全引張工程で進む距離よりも大きい。
【０２０４】
好ましくは、表示デバイス２５のロック状態において、表示デバイス２５の底部又は信号要素３４／阻止部分の底部３４ａは、駆動部分５２が、起動要素３６の起動面３６ｃに触れる前に、引張工程中にネブライザ１の底部５３と当接する。従って、ロック状態で表示デバイス２５を伴う引張工程中に、駆動部分５２に力を強制しない。
【０２０５】
特に、信号要素３４は、表示デバイス２５の阻止部分として作用し、信号要素３４は、図４と類似の部分を示す図１２の概略的に拡大して概略的に示すように、容器３の更なる使用を阻止し及び／又はロック状態で表示デバイス２５の起動要素３６と駆動部分５２の相互作用を無効にする。好ましくは、挿入開口部５４を通しての起動は、表示デバイス２５のロック状態で無効にされる。この図示の状態において、容器３は、その引張位置及び駆動部分５２にある。しかし、既に容器３の非引張位置で、信号要素／阻止部分の底部３４ａは、駆動部分５２と表示デバイスの間の関係が、ネブライザの図示していない非引張状態に非常に類似するように、好ましくは、ハウジング部分１８／ネブライザ１の底部５３に非常に近い。好ましくは、表示デバイス２５のロック状態において、信号要素３４の底部３４ａは、ほとんどネブライザ１の底部５３と触れる（既に非引張状態で）。
【０２０６】
好ましくは、駆動部分５２は、ロック状態にある表示デバイス２５において起動機構から後退しており、特に、もはや起動要素３６と接触／相互作用していない。好ましくは、駆動部分５２の先端又は起動面は、表示デバイスのロック状態にある表示デバイス２５のいかなる部分にも触れていない。
【０２０７】
好ましくは、表示要素３５は、予め決められた使用回数が到達されたか又は超過された時に、起動バネ４７の起動及び／又は信号要素３４／阻止部分のその第１から第２の位置への移行、すなわち、表示デバイス２５のロッキングを引き起こす。
【０２０８】
本発明の実施形態において、表示要素３５は、好ましくは、更なる使用に対してネブライザ１又は現在の容器３のロッキングをもたらすロック状態の検出のために信号要素３４を解除する（表示要素の最後の回転移動時に）制御部分３５ｄ及び／又は突起３５ｅを含む。
【０２０９】
好ましくは、制御部分３５ｄは、阻止部分／信号要素３４の阻止位置への移動を可能にする又は開始する突出した傾斜面を含む。好ましくは、阻止部分／信号要素３４は、阻止位置で、すなわち、ロック状態において表示デバイスと駆動部分５２の相互作用を無効にする。好ましくは、制御部分３５ｄは、回転可能な表示要素３５の下側に突起又は隆起部がある。
【０２１０】
好ましくは、（図に示す実施形態にあるように、）阻止部分／信号要素３４は、表示器ハウジング３１との形状適合接続でその第１の位置に（表示デバイス２５の初期状態に）軸線方向に保持される。好ましくは、表示器ハウジング３１と阻止部分／信号要素３４の間の初期の形状適合接続は、阻止部分／信号要素３４と表示器ハウジング３１の間の相対回転移動によって終了する。特に、信号要素３４は、表示器ハウジング３１のそれぞれの凹部に又はそれぞれの肩部に置いた少なくとも１つの好ましくは複数の（例えば、５つ又は６つの）半径方向に延びる突起又は保持部分３４ｄを含む。凹部又は肩部に隣接して、表示器ハウジング３１は、長手方向に延びる溝３１ｄを好ましくは表示器ハウジング３１の外壁３１ｏの内側に含む。好ましくは、突起又は保持部分３４ｄは、初期状態の表示器ハウジング３１の壁の一部と溝３１ｄの間の肩部で係合する。好ましくは、突起又は保持部分３４ｄは、表示器ハウジングの壁の一部と（溝３１ｄの対向する側の保持部分３４ｄで）半径方向に当接する。信号要素３４の回転移動により、表示器ハウジングとの（すなわち、それぞれの肩部又は凹部との）少なくとも１つの突起又は保持部分３４ｄの係合が終了し、突起又は保持部分３４ｄは、溝３１ｄに（図１０ｂ及び図１０ｃにおいて下向きに）滑り込み、特に起動バネ４７の力によって駆動することができる。
【０２１１】
好ましくは、表示要素３５は、信号要素３４の回転移動を特に信号要素３４又はその保持部分３４ａと少なくとも１つの突起３５ｅ（信号要素３４に面する表示要素３５側の上を長手方向に延びる）の係合によって引き起こす。特に、予め決められた使用回数に達している時に、突起３５ｅは、保持部分３４ｄの側面と当接し、表示要素３５の最後の回転移動は、保持部分３４ｄを溝３１ｄに向けて押す。
【０２１２】
最初に、信号要素３４は、好ましくは、回転移動に対して、特に表示器ハウジング３１によって固定される。特に（図１０ｂ及び図１０ｃに示すように）、表示器ハウジング３１は、それぞれの溝３１ｄの側面で回転方向に保持部分３４ｄと当接し、従って、信号要素３４が表示器ハウジング３１との係合から出て移動するのを防止するラッチング要素又は可撓性アーム３１ｆを含む。好ましくは、ラッチング要素又は可撓性アーム３１ｆは、半径方向に可撓性、特に半径方向内向きに可撓性である。好ましくは、ラチェット要素又は可撓性アーム３１ｆは、傾斜面又は傾斜３１ｇを含む。好ましくは、この傾斜面又は傾斜３１ｇは、信号要素３４の回転固定（表示器ハウジング３１に対して）を外すための制御面として機能する。
【０２１３】
好ましくは、表示要素３５は、好ましくは、傾斜３１ｇに対応する傾斜を有する制御部分３５ｄを含む。予め決められた使用回数に達しているか又は達しようとする時（例えば、表示要素３５の次の回転移動により）、表示要素３５の制御部分３５ｄは、可撓性アーム３１ｆ上の傾斜３１ｇと接触した状態に移動している。表示要素３５の更なる回転により、制御部分３５ｄは、傾斜３１ｇに対して半径方向に押圧し、従って、可撓性アーム３１ｆは、離れて又は半径方向内向きに屈曲する。可撓性アーム３１ｆが半径方向内向きに屈曲する時に、可撓性アーム３１ｆと保持部分３４ｄの間の当接は終了し、及び／又は信号要素３４の回転固定が終了し、保持部分３４ｄをそれぞれの溝３１ｄに押しやることができる。
【０２１４】
好ましくは、阻止部分／信号要素３４の回転固定は、信号要素３４の起動の僅かに少し前又は同時に終了する（すなわち、初期位置で表示器ハウジング３１ｇとの軸線方向係合から出て保持部分３４ｄを押し出す）。図は、減速及び／又は非線形伝達を有する表示デバイス２５の係合を示している。減速伝達により移動すべき最後の回転部分である表示要素３５の一定分の（増分）移動は、比較的小さく、例えば、２°〜７°（又は特定の実施例では５°）の範囲にある。信号要素３４の信頼できる起動及び／又は信号要素３４の回転固定を終了して信号要素３４の回転への急速移行を保証するために、表示要素３５の回転移動は迅速であり及び／又は表示要素３５の回転移動の増分は、予め定められた使用数に達しており又は達しようとする時に増加する。特に（図１０ａ及び１０ｂに示すように）、伝達部４０又は歯車リング４０ｂは、二重の歯車歯４０ｅを含む。この二重の歯車歯４０ｅは、２つの歯車リングの歯車歯によって形成され、互いの間隔が非常に狭いので、歯車歯４１ｂは、それらの間で噛み合うか又は適合することができ、及び／又は二重の歯車歯４０ｅを形成する両方の歯車リングの歯車歯は、２つの歯車歯４１ｂと同時に係合することができる。好ましくは、この二重の歯車歯４０ｅは、予め定められた使用数に達しており又は達しようとする時に歯車４１と係合するに過ぎない。二重の歯車歯４０ｅが歯車４１と係合する時に、歯車リム３１ｂに沿った歯車４１の一定分の（増分）移動、従って、表示要素３５の一定分の（増分）移動は増加する（例えば、特定の実施例において、表示要素３５は、予め決められた使用回数に達すると回転軸の周りを５°の通常の回転経路ではなくて約１０°回転する）。
【０２１５】
好ましくは、起動された阻止部分／信号要素３４は、その第２の位置に固定され及び／又は表示器ハウジング３１に対する軸線方向変位に対して固定される。好ましくは、表示デバイス２５は、一旦ロック状態に入るとそのロック状態に留まる。好ましくは、阻止部分／信号要素３４は、第２の位置、すなわち、ロック状態で形状適合接続又はスナップ式係合によって保持される。
【０２１６】
好ましくは、可撓性要素は、信号要素３４をその第２の位置にロックし、及び／又は信号要素３４が、再度表示器ハウジング３１の上方に又はその中に押し込まれる可能性があるのを防止する。特に、表示デバイス２５は、一旦ロック状態に入るとそのロック状態にある表示デバイスをロックする少なくとも１つの阻止バネ４３（好ましくは、２つの阻止バネ）を含む。図１０ｃに示す実施形態において、阻止バネ４３は、好ましくは、前進要素３９と表示器ハウジング３１の内壁３１ｉの間に配置される。好ましくは、少なくとも１つの阻止バネは、半径方向外向きに付勢される。好ましくは、少なくとも１つの阻止バネ４３は、金属、特にバネ鋼で作られる。特に、少なくとも１つの阻止バネ４３は、２つのウイングを形成する曲げ板バネであり、好ましくは、一方のウイングは、前進要素３９又は信号要素３４の内側リムと当接し、他方のウイングは、表示器ハウジングの内壁３１ｉに支えられる。
【０２１７】
信号要素３４がその第２の位置の中に移動する時に、前進要素３９及び少なくとも１つの阻止バネ４３は、好ましくは、信号要素３４と共に軸線方向に移動する。好ましくは、少なくとも１つの阻止バネ４３の幅は、信号要素がその第１の位置からその第２の位置に伝達される時に信号要素が動かされる距離よりも小さい。
【０２１８】
好ましくは、阻止バネ４３は、信号要素３４がその第２の位置の中に移動する時に、すなわち、表示デバイスがそのロック状態に入った時に（信号要素３４が図１０ｃの阻止バネ４３と共に下向きに移動し、阻止バネ４３の外側ウイングが、もはや表示器ハウジング３１の内壁３１ｉに対して当接しないが、壁３１ｉの下端の下で拡張することができる時）、半径方向外向きに拡張又は屈曲する。好ましくは、ロック状態において、阻止バネ４３は、表示器ハウジング３１の内壁３１ｉに対して少なくとも部分的に横断方向又は斜めに延び、及び／又は表示器ハウジング３１の外側又は下の平面に延びる。この好ましい実施形態において、表示器ハウジング３１に戻る信号要素３４の逆移動は、障壁によって防止され、少なくとも阻止バネ４３が、内壁３１ｉの相対移動の経路に形成される。少なくとも１つの阻止バネ４３は、好ましくは、表示器ハウジング３１から離れた信号要素３４の底部３４ａを保持する。
【０２１９】
代替的に又は追加的に、保持部分３４ｄは、表示器ハウジング３１（図示していない実施形態）において溝３１ｄの底端の半径方向凹部で係合する可撓性フックを形成することができる。
【０２２０】
特に、ロックした表示デバイス２５又は起動信号要素３４又は関連の阻止部分は、特に、容器３（取り付けられた表示デバイスを有する）が、上述のように、かつ通常の使用を防止するように通常の又は更なる使用の必要性に応じて行程様式でネブライザ１の閉じたハウジングの内側で移動することができないという結果をもたらす。
【０２２１】
特に、表示デバイス２５のロッキング又は起動要素３６との相互作用の無効化は、ネブライザ１がもう一度引張された時又はそれが部分的に引張された時に少なくとも部分的に開かれるという結果をもたらす。図１３は、ネブライザ１の概略的な長手方向断面でこの状態（部分的に開いたハウジング部分１８を有する部分的に引張されたネブライザ１）を示している。引張工程中に、容器３は、表示デバイス２５と共に下向きに移動している。非引張状態（容器３の上側位置）から始まって、表示デバイス２５は、ネブライザ１のハウジング部分１８又は底部５３に対して、表示デバイス２５の阻止部分／信号要素３４又は信号要素３４の底部３４ａで間もなく当接し、その結果、更なる通常の下向き移動ができなくなる。
【０２２２】
好ましくは、ロック状態において、信号要素３４の底部３４ａは、アンロック状態におけるよりもネブライザ１の／下側ハウジング部分１８の底部５３にかなり近い。好ましくは、表示デバイス２５のロック状態において、ネブライザ１の底部５３と信号要素３４の底部３４ａの間の距離は、完全引張工程において容器３が進む距離よりも（かなり）小さい。
【０２２３】
特に、阻止部分／信号要素３４は、ロック状態でネブライザ１の容器３の軸線方向可動性を制限する。ネブライザ１が引張された時加わる力により、及び容器３の移動において生じた軸線方向力により、ハウジング部分１８は、ロック状態で軸線方向の更なる引張移動中に容器３及び表示デバイス２５と共にネブライザ１、内側部分１７、又は上側部分１６の外側に又はそれに対して移動することになる。
【０２２４】
好ましくは、表示デバイス２５は、ロックした表示デバイス２５との引張工程中にネブライザ１のハウジング部分１８又は底部５３に対して当接し、阻止部分の全底部／信号要素３４の全底部３４ａは、ネブライザ１のハウジング部分１８又は底部５３と接触する。従って、引張力を伝達する区域及び／又は表示デバイス２５を通じて容器移動からハウジング部分１８への下向き移動は、最大化される（すなわち、ハウジング部分１８に損傷を与える力、従って、その再使用性の危険は最小にされる）。
【０２２５】
容器３、表示デバイス２５、及びハウジング部分１８の上記共通下向き移動は、ネブライザ１におけるハウジング部分１８のそれぞれ構成された締結により可能である。特に、保持力は、それが容器３の下向き移動によって打ち勝つことができるように選択又は設定される。
【０２２６】
本発明の実施形態において、保持要素１９は、ハウジング部分１８のそれぞれの保持凹部６５において保持ノーズ６４と係合し、その逆も可能である。従って、実質的に刻み目又は窪みを達成することができる。しかし、一方でノーズ６４及び他方で凹部６５の少なくとも本質的に半径方向に延びる当接肩部は、引張工程の軸線方向力が、ノーズ６４の係合によって凹部６５の中に提供される保持力に打ち勝ち、それによって保持要素１９が半径方向に屈曲して保持係合に打ち勝つように、半径方向平面に対して好ましくは約１°〜５°だけ僅かに傾斜している。その結果、ハウジング部分１８は、下向きにも移動し、従って、少なくとも部分的にネブライザ１から押されるか又は上側ハウジング部分１６から分離され及び／又は内側部分１７から押される。
【０２２７】
好ましくは、信号要素３４の底部３４ａ及びネブライザ１／ハウジング部分１８の底部５３の間隔は、表示デバイス２５のロック状態で非常に狭いので、引張工程の軸線方向力によるハウジング部分１８と保持要素１９の間の締結の上述の開放は、上側ハウジング部分１６に対して下側ハウジング部分１８を回転させることによってネブライザ１を引張するのに必要な全回転角の前半で起こる。従って、引張工程の早期に、ハウジングの（部分的）開放も、表示デバイス２５のロック状態を示している。
【０２２８】
ハウジング部分１８又はネブライザ１のいずれかの他の開放のこの押圧又は軸線方向変位は、好ましくは、ロッキングデバイス２６を使用して更なる使用に対してネブライザ１をロックするという結果をもたらす。従って、表示デバイス２５又はその阻止部分６１は、ロック状態でネブライザ１の望ましいロッキングをネブライザ１の開放を通じて間接的に達成する。
【０２２９】
好ましい実施形態において、ロッキングデバイス２６は、ロック状態でネブライザ１の引張を阻止する。
【０２３０】
好ましくは、ロッキングデバイス２６は、移動可能なロッキング要素６６及び関連のロッキングバネ６７を含む。ロッキング要素６６は、好ましくは、ロック位置とアンロック位置の間で軸線方向に移動可能である。好ましくは、ロッキングバネ６７によってロック位置にロッキング要素６６が付勢される。
【０２３１】
ロック位置で、ロッキング要素６６は、好ましくは、図１３に示すその下側軸線方向位置にある。図１４は、図１３のより小さい丸で囲まれた区域の係合を示している。
【０２３２】
ロック位置で、ロッキング要素６６は、外側部分１６に対して内側部分１７の回転を阻止し、従って、ネブライザ１の（更なる）引張を阻止する。これは、好ましくは、ロッキング要素６６が、上述の相対回転を阻止するように上側部分１６に形成されたそれぞれのポケット６８の中に軸線方向に移動又は係合するということで本発明の実施形態において達成される。特に、ロッキング要素６６は、あらゆる更なる回転及び／又は戻り回転を防止するように、それぞれの凹部又はポケット６８の中に係合セクション分６９と係合する。しかし、他の構成的ソリューションも同様に可能である。
【０２３３】
ロッキングデバイス２６、特にロッキング要素６６及びロッキングバネ６７は、好ましくは、内側部分１７に配置され及び／又は内側部分１７によって支持され及び／又は内側部分１７と上側部分１６の間を延びる。
【０２３４】
ネブライザ１、内側部分１７、又はロッキングデバイス２６は、好ましくは、ユーザ又は患者によるロッキングデバイス２６又はロッキング要素６６のあらゆる望ましくない操作を防止又は少なくとも複雑にするために、内側部分１７の下側部分１７ｂの少なくとも周囲でロッキングデバイス２６を覆うカバー７０を含む。
【０２３５】
好ましくは、ロッキングデバイス２６又はロッキング要素６６は、完全な引張状態又は位置が到達される前に、すなわち、上側ハウジング部分１６に対して下側ハウジング部分１８を回転させることによってネブライザ１を引張するのに必要な全回転角度の好ましくは中間位置で、最も好ましくは後半で相対回転又は更なる回転をロックしている。
【０２３６】
この中間阻止は、完全な引張が到達されることが可能ではないという利点、好ましくは、ネブライザ１を十分に起動することは可能ではないという利点を有し、従って、相対回転をホルダ６の軸線方向行程に変換するネブライザの歯車又は伝達部は、実際に中間位置でホルダ６を保持し、上側への、非引張位置へのあらゆる軸線方向戻り移動が認められない。所定位置での中間阻止により、ネブライザはその完全にロック状態にある。
【０２３７】
代替的に又は追加的に、ロッキングデバイス２６又はそのロッキング要素６６が、特に、阻止要素８のあらゆる押し下げ（又はボタン８ｂのあらゆる起動）をロックすること、従って、解除を阻止することにより、バネ７又はホルダ６の解除をロックして流体２を小出しすることも可能である。しかし、他の構成的ソリューションも同様に可能である。
【０２３８】
図５ｃ及び図１４は、類似の概略断面であるが、図５ｃのアンロック位置にロッキングデバイス２６、すなわち、上側位置にロッキング要素６６を有し、図１４のロックしている位置にロッキングデバイス２６、すなわち、下側位置にロッキング要素６６を有するネブライザ１のロッキングデバイス２６の詳細を示している。ロッキングデバイス２６又はロッキング要素６６は、上側位置にもたらされるか、又は好ましくは単にネブライザ１を閉じることにより、特に、完全取り付け又は閉じた位置でハウジング部分１８によってアンロックされる。
【０２３９】
図示の実施形態において、ハウジング部分１８は、（図１３のロック状態と比べると）図１５ａに示すように、ロッキングデバイス２６の中に及び／又はカバー７０の中に延び及び／又はロッキング要素６６を軸線方向に当接し及び／又はそのアンロック位置（上側位置）に押し込む、好ましくは、指状及び／又は軸線方向に延びるアクチュエータ７１を含む。従って、完全に閉じたネブライザ１又はハウジング部分１８だけが、ロッキングデバイス２６をアンロックし、従って、ネブライザ１をアンロックする。
【０２４０】
アクチュエータ７１は、好ましくは、あらゆる操作が不可能で又は少なくとも複雑であるようにハウジング部分１８内に配置される。
【０２４１】
ネブライザ１がロック状態にある時に、好ましくは、ネブライザ１又はそのハウジング部分１８が少なくとも引張工程によって部分的に開いている時に、容器３及び表示デバイス２５を用いたネブライザ１のそのロック状態におけるあらゆる更なる使用は可能ではない。ロッキングデバイス２６は、好ましくは、自動でロックする。好ましくは、ロッキングバネ６７は、ロッキング要素６６をロック位置内に付勢し、それによってネブライザ１の少なくとも部分開放又はそのハウジング部分１８の（軸線方向）変位の結果、ロッキングデバイス２６又はそのロッキング要素６６は、ロック位置内に移動することができかつ移動する。
【０２４２】
好ましくは、ロッキング要素６６は、軸線方向に移動可能である（本質的に又は単に）。
【０２４３】
新しいか又はリセットされた表示デバイス２５を含む新しい容器３に対してそのロックした表示デバイス２５（阻止位置の阻止部分／信号要素３４）を有する現在の容器３の取替後に、ネブライザ１又はそのハウジング部分１８は、再度完全に閉じることができる。従って、ネブライザ１又はそのロッキングデバイス２６は、再度アンロックすることができ又はアンロックされる。好ましくは、アクチュエータ７１は、ロッキング要素６６をそのアンロック位置に押し込んで戻す。
【０２４４】
従って、ロッキングデバイス２６は、好ましくは、ネブライザ１、そのハウジング２４、又はハウジング部分１８を（完全に）閉じることによって再度リセット又はアンロックされ、ネブライザ１は、以前のように新しい容器３と共に使用することができる。
【０２４５】
好ましくは、容器３は、ネブライザ１の少なくとも部分引張状態で、特に、ネブライザ１又はそのハウジング２４の完全な閉鎖が、表示デバイス２５がロック状態にある時又は挿入開口部５４が閉じている時には可能ではないような引張状態で取り替えられるか又は取り替える必要がある。
【０２４６】
特に、ロッキング要素６６は、摺動ブロックを形成することができ又はそれによって形成されることができる。
【０２４７】
本発明の実施形態において、ロッキングバネ６７は、好ましくは、内側部分１７の下側部分１７ｂに及び／又はロッキングデバイス２６又はロッキング要素６６の下端、又はハウジング部分１８の近く又はそれに隣接して配置される。しかし、ロッキングバネ６７はまた、ネブライザ１の他端に及び／又は上側ハウジング部分１６内及び／又はいずれかの他の有利な位置に配置することができる。
【０２４８】
本発明の実施形態において、ロッキングバネ６７は、好ましくは、押圧バネである。しかし、引張バネを代替的に使用することができる。
【０２４９】
本発明の実施形態において、ロッキングバネ６６は、好ましくは、螺旋バネである。しかし、代替的に、例えば、板バネ又はリーフバネ、又はいずれかの他のバネを使用することができる。
【０２５０】
本発明の実施形態において、ロッキング要素６６及びロッキングバネ６７は、個別の部品によって形成される。しかし、一般的に、ロッキング要素６６をロッキングバネ６７に一体化することも可能であり、その逆も可能である。
【０２５１】
穿孔部分４８は、好ましくは、表示デバイス２５又はそのハウジング３１内に受け入れられるが、起動状態において外向きに突出することができることに注意しなければならない。
【０２５２】
代替的に、駆動部分５２と表示デバイス２５の相互作用の無効化は、省略することができることに注意しなければならない。代替的に、表示デバイス２５又は阻止部分／信号要素３４は、更なる使用に対してネブライザ１又は容器３の直接又は間接ロッキングを引き起こすために、ロッキングデバイス２６又は例えば保持要素１９又は阻止要素８と多かれ少なかれ直接に連通するか又はそれを起動することができる。
【０２５３】
好ましくは、線形又はスレッド状の移動可能な阻止部分／信号要素３４の代わりに、いずれかの他の運動、特に半径方向及び／又はピボット回転移動は、特にネブライザの閉鎖ハウジング２４において（取り付けられた表示デバイス２５を有する）容器３の可動性を部分的に又は完全に制限するために実施可能である。
【０２５４】
代替的に、信号要素３４又は阻止部分は、表示デバイス２５又はそのハウジング３１から外向きに、好ましくは、少なくとも１つの係合可能性をロックし及び／又はロック状態でいずれかの他の構成要素を起動するために、又はネブライザ１及び／又は容器３をロックするために横断方向に及び／又は表示器ハウジング３１の片側に移動することができる。
【０２５５】
代替的に又は追加的に、信号要素３４又は阻止部分は、ロック状態でネブライザ１及び／又は容器３の更なる使用を阻止するためにロック状態で起動又は移動を制限又は防止するために、ハウジング部分１８及び／又はネブライザハウジング２４などの断面又は輪郭の中に係合又はそれに対して当接することができる。
【０２５６】
特に半径方向に作用する時も、好ましくは、バネ４７又はいずれかの他のバネ手段によって信号要素３４又は阻止部分が付勢される。バネ又はバネ手段は、一体的に及び／又はプラスチック部品又はプラスチック片によって形成することができる。代替的に、螺旋又は時計バネ又は螺旋バネ４７のようないずれかの他のバネは、信号要素３４又は阻止部分を好ましくはロック状態に付勢するために使用することができる。
【０２５７】
駆動部分５２が、直接に歯車４１を駆動又は起動することも可能である。この場合に、駆動部分５２は、好ましくは、ハウジング１８により、特にバネ手段（図示せず）を通じて、特に軸線方向公差を補償し及び／又は駆動部分５２の半径方向又は横断方向屈曲を可能にするために弾性的に支持される。代替的に又は追加的に、駆動部分５２は、歯車４１に対して相対軸線方向移動の一方向にのみ歯車４１と係合するための横断方向屈曲が一回転方向にのみ歯車４１を回転することを可能にするように可撓性とすることができる。
【０２５８】
表示デバイス２５は、特に本明細書に引用によって組み込まれているＷＯ  ２００９／０３７０８５  Ａ１の４ページの１９行〜１０ページの１３行に説明されているようにいずれかの他の計数機構を含むことができる。そのような計数機構はまた、信号要素３４又は阻止部分をトリガ、解除、又は起動することができる。この計数機構を使用する時に、回転可能な表示要素３５はまた、ロック状態で信号要素３４又は阻止部分を解除するか又はその解除を制御し、ロック位置へ移動することができる。
【０２５９】
特に、駆動部分５２は、ＷＯ  ２００９／０３７０８５  Ａ１などに示す計数機構のハブと係合し及び／又は表示デバイス２５又は計数を駆動又は起動することができる。信号要素３４又は阻止部分は、計数とは独立であり、機能が分離される。
【０２６０】
容器３又は表示デバイス２５又は挿入開口部５４は、特に最初に使用する前に挿入開口部５４を覆う任意的な保護体（図示せず）を含むことができる。
【０２６１】
好ましくは、保護体は、容器３及び／又は表示デバイス２５をネブライザ１又はハウジング部分１８に挿入することができる前に取り外す必要がある。
【０２６２】
好ましくは、保護体は、表示デバイス２５又はそのハウジング３１にわたって及び／又は容器３にわたって横断方向に延び、及び／又は特にそれがネブライザ１又はハウジング部分１８に嵌合しないように表示デバイス２５及び／又は容器３よりも大きい直径を有する。
【０２６３】
好ましくは、保護体は、不可逆的にのみ取り外すことができ、すなわち、取り外した後に再接続することはできない。
【０２６４】
好ましくは、保護体は、挿入開口部５４及び／又は表示デバイス２５を覆うか又は閉じる。
【０２６５】
好ましくは、保護体は、形状適合した接続又は圧入により、及び／又はスナップ結合又はクリック結合により、表示デバイス２５又は容器３に接続される。
【０２６６】
上述のように、説明する実施形態の個々の特徴、態様、及び／又は原理は、必要に応じて互いに組み合わせることもでき、図示したネブライザ１において特に使用することができるが、類似の又は異なるネブライザにおいても使用することもできる。
【０２６７】
様々な実施形態の特徴は、組み合わせるか又は交換することができる。
【０２６８】
独立型機器などとは異なり、提案するネブライザ１は、好ましくは、携帯式であるように設計され、特に移動式手動デバイスである。
【０２６９】
しかし、提案するソリューションは、本明細書で具体的に説明するネブライザ１だけではなく、他のネブライザ又は吸入器、例えば、粉末吸入器又はいわゆる計量式投薬吸入器に使用することもできる。
【０２７０】
好ましくは、流体２は、上述のような液体、特に、水性医薬製剤又はエタノール医薬薬剤である。しかし、それはまた、何らかの他の医薬薬剤又は懸濁液などである場合がある。
【０２７１】
代替実施形態により、流体２はまた、粒子又は粉末を含むことができる。この場合に、排出ノズル１２の代わりに、何らかの他の種類の供給デバイス、特に、流体を粉末などに供給するための排出開口部（図示せず）又は供給チャネル（図示せず）をマウスピース１３の中に設けることができる。任意的な空気供給開口部１５は、次に、マウスピース１３を通して呼吸又は吸入するのに十分な容積の空気流を発生又は可能にするために、好ましくは、並行して周囲空気を供給するように機能する。
【０２７２】
必要に応じて、流体２は、推進剤ガスを使用して噴霧化することもできる。
【０２７３】
好ましい薬液２の好ましい原料及び／又は製剤は、特に、本明細書に引用によって組み込まれているＷＯ  ２００９／１１５２００  Ａ１、好ましくは２５〜４０ページに、又はＥＰ  ２，６１４，８４８  Ａ１、段落００４０〜００８７に列挙されている。特に、それらは、水性又は非水性溶液、混合液、又はエタノール含有又はいかなる溶剤も含まない製剤などである場合がある。
【０２７４】
参照番号のリスト
１  ネブライザ
２  流体
３  容器
４  バッグ
５  圧力発生器
６  ホルダ
７  駆動バネ
８  阻止要素
８ｂ  ボタン
９  搬送チューブ
１０  逆止弁
１１  圧力チャンバ
１２  ノズル
１３  マウスピース
１４  エアロゾル
１５  空気供給開口部
１６  上側ハウジング部分
１７  内側部分
１７ａ  内側部分の上側部分
１７ｂ  内側部分の下側部分
１８  ハウジング部分（下側部分）
１９  保持要素
２０  曝気バネ
２１  容器ベース
２２  穿孔要素
２３  通気孔
２４  ネブライザハウジング
２５  表示デバイス
２６  ロッキングデバイス
２７  マウスピースカバー
２８  ヘッド
２９  容器ハウジング
３０  容器縁部
３１  表示器ハウジング
３１ａ  窓
３１ｂ  歯車リム
３１ｃ  凹部
３１ｄ  （長手方向）溝
３１ｆ  可撓性アーム
３１ｇ  傾斜
３１ｉ  内壁
３１ｏ  外壁
３２  把持セクション
３３  上側部分
３４  信号要素
３４ａ  底部（信号要素の）
３４ｂ  溝
３４ｃ  クリップ
３４ｄ  保持部分
３４ｗ  （円筒）壁
３５  表示要素
３５ａ  軸受
３５ｂ  マーキング
３５ｃ  ラッチングアーム（表示要素上の）
３５ｄ  制御部分
３５ｅ  突起
３６  起動要素
３６ａ  案内要素
３６ｂ  支持構造
３６ｃ  起動面
３７  ラチェット要素
３７ａ  ラッチングアーム
３７ｂ  鋸歯（ラチェット要素上の）
３８  付勢バネ
３９  前進要素
３９ａ  案内軌道
３９ｂ  歯
３９ｃ  可撓性アーム
４０  伝達部
４０ａ  第１のセットの鋸歯
４０ｂ  歯車リング
４０ｃ  第２のセットの鋸歯
４０ｄ  管状セクション（伝達部上の）
４０ｅ  二重の歯車歯
４１  歯車
４１ａ  心棒セクション
４１ｂ  歯車歯（歯車上の）
４３  阻止バネ
４７  起動バネ
４８  穿孔部分
４９  穿孔先端
５０  ホイル
５１  窪み
５２  駆動部分
５３  底部
５４  挿入開口部
６４  保持ノーズ
６５  保持凹部
６６  ロッキング要素
６７  ロッキングバネ
６８  ポケット
６９  係合セクション分
７０  カバー
７１  アクチュエータ
７２  摺動ガイド
７３  ベース部分
【図１】
0006526057.tif 000002
【図２】
0006526057.tif 000003
【図３】
0006526057.tif 000004
【図４】
0006526057.tif 000005
【図５ａ】
0006526057.tif 000006
【図５ｂ】
0006526057.tif 000007
【図５ｃ】
0006526057.tif 000008
【図６】
0006526057.tif 000009
【図７】
0006526057.tif 000010
【図８】
0006526057.tif 000011
【図９】
0006526057.tif 000012
【図１０ａ】
0006526057.tif 000013
【図１０ｂ】
0006526057.tif 000014
【図１０ｃ】
0006526057.tif 000015
【図１１】
0006526057.tif 000016
【図１２】
0006526057.tif 000017
【図１３】
0006526057.tif 000018
【図１４】
0006526057.tif 000019
【図１５】
0006526057.tif 000020